(57)【要約】【課題】  光変調素子を効率的に冷却できかつ、画像品質を良好に維持できる光学装置、およびプロジェクタを提供する。【解決手段】光学装置本体４４０は、冷却室内の冷却流体に対して熱伝達可能に光変調素子を保持する光変調素子保持体４４０２と、複数の流体循環部材４４８と、冷却流体を内部に流入させる流通パイプ５１３、および冷却流体を外部に排出させる流通パイプ５１４を有し冷却流体を内部に蓄積する中継タンク５と、冷却流体を強制的に循環させる流体圧送部とを備える。中継タンク５の内部には、気泡を蓄積する気泡蓄積部５１１Ａが設けられている。流通パイプ５１３は、開口５１３Ａの鉛直方向上端縁が流通パイプ５１４の開口５１４Ａの鉛直方向上端縁よりも鉛直方向上側に位置するように配置されている。【選択図】 図６
2006330641.tif 000002
【特許請求の範囲】
【請求項１】
光源から射出された光束を画像情報に応じて変調して光学像を形成する光変調素子を含んで構成される光学装置であって、
内部に冷却流体が封入される冷却室が形成され、前記冷却室内の前記冷却流体に対して熱伝達可能に前記光変調素子を保持する光変調素子保持体と、
前記冷却室と連通接続され、前記冷却流体を前記冷却室外部に案内し、再度前記冷却室内部に導く複数の流体循環部材と、
前記複数の流体循環部材における前記冷却流体の流路中に配置され、前記冷却流体を内部に流入させる冷却流体流入部、および前記内部の冷却流体を外部に排出させる冷却流体排出部を有し、前記冷却流体を内部に蓄積する冷却流体蓄積部と、
前記複数の流体循環部材における前記冷却流体の流路中に配置され、前記冷却流体を前記複数の流体循環部材を介して強制的に循環させる流体圧送部とを備え、
前記冷却流体蓄積部の内部には、前記冷却流体に含まれ鉛直方向上側に向けて移動した気泡を蓄積する気泡蓄積部が設けられ、
前記冷却流体流入部および前記冷却流体排出部は、前記冷却流体蓄積部における鉛直方向に直交する水平軸と交差する端面に設けられ、前記冷却流体流入部における前記冷却流体の導出側開口の鉛直方向上端縁が前記冷却流体排出部における前記冷却流体の導入側開口の鉛直方向上端縁よりも鉛直方向上側に位置するように配置されていることを特徴とする光学装置。
【請求項２】
請求項１に記載の光学装置において、
前記光変調素子は、複数で構成され、
前記光変調素子保持体は、前記複数の光変調装置に応じて複数設けられ、
前記複数の光変調素子保持体を取り付けるための複数の光束入射側端面を有し、前記複数の光変調素子で変調された各光束を合成する色合成光学装置を備え、
前記冷却流体蓄積部は、蓄積した冷却流体を前記複数の光変調素子保持体の各冷却室に分岐して送出する送出側蓄積部と、前記各冷却室から排出された冷却流体を一括して送入する送入側蓄積部とを備え、
前記色合成光学装置の複数の光束入射側端面と交差する端面のうち、鉛直方向下側の端面に前記送出側蓄積部が配設され、鉛直方向上側の端面に前記送入側蓄積部が配設されていることを特徴とする光学装置。
【請求項３】
請求項１または請求項２に記載の光学装置において、
前記冷却流体流入部および前記冷却流体排出部のうち少なくともいずれか一方は、前記冷却流体蓄積部内部に向けて突出し、前記突出方向先端部分が屈曲する形状を有していることを特徴とする光学装置。
【請求項４】
請求項１から請求項３のいずれかに記載の光学装置において、
前記冷却流体流入部の前記導出側開口、および前記冷却流体排出部の前記導入側開口のうち少なくともいずれか一方は、鉛直方向に略直交するように形成されていることを特徴とする光学装置。
【請求項５】
請求項１から請求項４のいずれかに記載の光学装置において、
前記冷却流体流入部および前記冷却流体排出部は、鉛直方向と略直交する異なる軸線上にそれぞれ配置されていることを特徴とする光学装置。
【請求項６】
請求項１から請求項５のいずれかに記載の光学装置において、
前記冷却流体流入部は、前記冷却流体蓄積部内部に突出し前記突出方向先端部分が複数分岐されて前記冷却流体を流通させる複数の流路を有し、
当該光学装置を所定の姿勢で設置した際に、前記複数の流路のうち少なくともいずれか一の流路の前記導出側開口の鉛直方向上端縁が前記冷却流体排出部における前記導入側開口の鉛直方向上端縁よりも鉛直方向上側に位置し、前記複数の流路のうち少なくともいずれか他の流路の前記導出側開口の鉛直方向下端縁が前記冷却流体排出部における前記導入側開口の鉛直方向下端縁よりも鉛直方向下側に位置していることを特徴とする光学装置。
【請求項７】
請求項６に記載の光学装置において、
前記冷却流体流入部には、前記分岐位置に当該光学装置の姿勢状態に応じて、前記複数の流路のうち少なくともいずれかの流路を選択する切替弁が設けられていることを特徴とする光学装置。
【請求項８】
請求項１から請求項４のいずれかに記載の光学装置において、
前記冷却流体流入部および前記冷却流体排出部は、鉛直方向と略直交する同一の軸線上にそれぞれ配置され、
前記冷却流体蓄積部は、前記軸線を回転軸として前記冷却流体流入部および前記冷却流体排出部とともに回転可能に構成されていることを特徴とする光学装置。
【請求項９】
光源装置と、請求項１から請求項８のいずれかに記載の光学装置と、前記光学装置にて形成された光学像を拡大投射する投射光学装置とを備えることを特徴とするプロジェクタ。
【請求項１０】
光源装置と、請求項１から請求項４のいずれかに記載の光学装置と、前記光学装置にて形成された光学像を拡大投射する投射光学装置と、前記流体圧送部を駆動制御する圧送駆動制御部とを備え、
前記冷却流体蓄積部は、当該プロジェクタ内部の所定位置に固定され、
前記圧送駆動制御部は、当該プロジェクタの姿勢状態に応じて、前記冷却流体の循環方向を切り替えることを特徴とするプロジェクタ。
【請求項１１】
光源装置と、請求項１から請求項４のいずれかに記載の光学装置と、前記光学装置にて形成された光学像を拡大投射する投射光学装置と、前記流体圧送部を駆動制御する圧送駆動制御部とを備え、
前記冷却流体流入部および前記冷却流体排出部は、鉛直方向と略直交する同一の軸線上に配置され、
前記冷却流体蓄積部は、前記軸線を回転軸として回転可能に前記冷却流体流入部および前記冷却流体排出部に軸支され、
前記圧送駆動制御部は、当該プロジェクタの姿勢状態に応じて、前記冷却流体の循環方向を切り替えることを特徴とするプロジェクタ。
【発明の詳細な説明】
【技術分野】
【０００１】
本発明は、光学装置、およびプロジェクタに関する。
【背景技術】
【０００２】
従来、光源から射出された光束を画像情報に応じて変調して光学像を形成する複数の光変調素子と、各光変調素子で変調された光束を合成して射出する色合成光学装置と、色合成光学装置にて合成された光束を拡大投射する投射光学装置とを備えるプロジェクタが知られている。
このうち、光変調素子には、例えば、１対の基板間に液晶等の電気光学材料が密閉封入されたアクティブマトリックス駆動方式の液晶パネルが使用される。具体的には、この光変調素子を構成する１対の基板は、液晶に駆動電圧を印加するためのデータ線、走査線、スイッチング素子、画素電極等が形成され、光束射出側に配置された駆動基板と、光束入射側に配置され、共通電極、ブラックマスク等が形成された対向基板とで構成されている。
ここで、光源から射出された光束が光変調素子に照射された場合には、液晶層による光吸収とともに、駆動基板に形成されたデータ線および走査線や、対向基板に形成されたブラックマスク等による光吸収により、光変調素子の温度が上昇しやすい。
【０００３】
このため、光学装置では、光変調素子の温度上昇を緩和するために、冷却流体を用いて光変調素子を冷却する構成が提案されている（例えば、特許文献１参照）。
特許文献１に記載の光学装置では、光変調素子保持体に冷却流体を密閉する冷却室を形成している。そして、この冷却室は、光変調素子に隣接し、光変調素子の光束透過面に対向して設けられているため、光変調素子の熱を冷却室内の冷却流体により冷却することができる。
また、光変調素子保持体の内部には、冷却室と連通する気泡溜め用サライが設けられている。そして、この気泡溜め用サライに冷却流体内に含まれる気泡やゴミ等が集められ、冷却流体を対流させることによる光路への気泡やゴミ等の侵入を防止し、光路中への気泡等の侵入による画像品質の劣化を防止している。
【０００４】
【特許文献１】特開２００３−１９５２５４号公報
【発明の開示】
【発明が解決しようとする課題】
【０００５】
しかしながら、特許文献１に記載の光学装置では、冷却室内に冷却流体が密閉封入されているので、発熱した光変調素子により冷却流体が温められやすく、温められた冷却流体が冷却室内に滞留してしまう。このため、光変調素子と冷却流体との温度差が小さくなり、光変調素子を効率的に冷却することが難しい、という問題がある。
また、気泡溜め用サライは、冷却室と連通するように光変調素子保持体内部に設けられているため、その配置位置が光変調素子の画像形成領域に近い位置となり、集められた気泡等が光路中に侵入してしまう虞がある。このため、画像品質を良好に維持することが難しい、という問題がある。
【０００６】
本発明の目的は、光変調素子を効率的に冷却できかつ、画像品質を良好に維持できる光学装置、およびプロジェクタを提供することにある。
【課題を解決するための手段】
【０００７】
本発明の光学装置は、光源から射出された光束を画像情報に応じて変調して光学像を形成する光変調素子を含んで構成される光学装置であって、内部に冷却流体が封入される冷却室が形成され、前記冷却室内の前記冷却流体に対して熱伝達可能に前記光変調素子を保持する光変調素子保持体と、前記冷却室と連通接続され、前記冷却流体を前記冷却室外部に案内し、再度前記冷却室内部に導く複数の流体循環部材と、前記複数の流体循環部材における前記冷却流体の流路中に配置され、前記冷却流体を内部に流入させる冷却流体流入部、および前記内部の冷却流体を外部に排出させる冷却流体排出部を有し、前記冷却流体を内部に蓄積する冷却流体蓄積部と、前記複数の流体循環部材における前記冷却流体の流路中に配置され、前記冷却流体を前記複数の流体循環部材を介して強制的に循環させる流体圧送部とを備え、前記冷却流体蓄積部の内部には、前記冷却流体に含まれ鉛直方向上側に向けて移動した気泡を蓄積する気泡蓄積部が設けられ、前記冷却流体流入部および前記冷却流体排出部は、前記冷却流体蓄積部における鉛直方向に直交する水平軸と交差する端面に設けられ、前記冷却流体流入部における前記冷却流体の導出側開口の鉛直方向上端縁が前記冷却流体排出部における前記冷却流体の導入側開口の鉛直方向上端縁よりも鉛直方向上側に位置するように配置されていることを特徴とする。
【０００８】
本発明によれば、光学装置が流体圧送部を備え、流体圧送部により冷却流体が強制的に循環されるので、冷却流体は、光変調素子保持体の冷却室内外に常に対流することとなる。このため、従来のように冷却室内に冷却流体を密封させておく場合と比較して、冷却流体が温められにくく、冷却流体と光変調素子との温度差を良好に維持して光変調素子を効率的に冷却できる。
また、冷却流体に含まれる気泡等は、浮力により鉛直方向上側に移動する。このため、冷却流体流入部および冷却流体排出部を冷却流体蓄積部における水平軸と交差する端面に設け冷却流体流入部の導出側開口の鉛直方向上端縁を冷却流体排出部の導入側開口の鉛直方向上端縁よりも鉛直方向上側に位置するように配置することで、冷却流体流入部を介して冷却流体蓄積部内部に導入された冷却流体に含まれる気泡等が冷却流体排出部に取り込まれにくい構造を実現でき、前記気泡等を気泡蓄積部に良好に蓄積させることができる。このため、冷却流体蓄積部内部にて冷却流体に含まれる気泡等を捕捉でき、光変調素子保持体の冷却室内の光路中に前記気泡等が侵入してしまうのを防止し、光変調素子にて形成される光学像の画像品質を良好に維持できる。
【０００９】
本発明の光学装置では、前記光変調素子は、複数で構成され、前記光変調素子保持体は、前記複数の光変調装置に応じて複数設けられ、前記複数の光変調素子保持体を取り付けるための複数の光束入射側端面を有し、前記複数の光変調素子で変調された各光束を合成する色合成光学装置を備え、前記冷却流体蓄積部は、蓄積した冷却流体を前記複数の光変調素子保持体の各冷却室に分岐して送出する送出側蓄積部と、前記各冷却室から排出された冷却流体を一括して送入する送入側蓄積部とを備え、前記色合成光学装置の複数の光束入射側端面と交差する端面のうち、鉛直方向下側の端面に前記送出側蓄積部が配設され、鉛直方向上側の端面に前記送入側蓄積部が配設されていることが好ましい。
本発明によれば、送出側蓄積部が色合成光学装置の鉛直方向下側の端面に配設され、送入側蓄積部が色合成光学装置の鉛直方向上側の端面に配設されているので、光学装置における余スペースに冷却流体蓄積部を配設でき、光学装置の大型化を抑制できる。
また、送出側蓄積部および送入側蓄積部を上述したように配設することで、冷却室内部において、冷却流体を鉛直方向下側から鉛直方向上側に流通させることが可能となる。このため、冷却室内部において、光変調素子から冷却流体に放熱された熱の移動方向と、冷却流体の流通方向とを同一に設定でき、熱が冷却室内部において滞留することを防止できる。したがって、冷却流体と光変調素子の温度差を良好に維持でき、光変調素子を効率的に冷却できる。
さらに、各光変調素子の発熱量が異なる場合には、各光変調素子保持体に形成された各冷却室から排出された温度の異なる冷却流体は、一括して送入側蓄積部に導入されることで、温度が均一化される。また、送出側蓄積部に蓄積された冷却流体は、分岐されて各光変調素子保持体に形成された各冷却室に導入されるので、各光変調素子を均一に冷却できる。
【００１０】
本発明の光学装置では、前記冷却流体流入部および前記冷却流体排出部のうち少なくともいずれか一方は、前記冷却流体蓄積部内部に向けて突出し、前記突出方向先端部分が屈曲する形状を有していることが好ましい。
本発明では、例えば、以下の構成を採用できる。
例えば、冷却流体流入部を冷却流体蓄積部内部に向けて突出させ、突出方向先端部分を鉛直方向上側に屈曲させる。
また、例えば、冷却流体排出部を冷却流体蓄積部内部に向けて突出させ、突出方向先端部分を鉛直方向下側に屈曲させる。
さらに、例えば、冷却流体流入部および冷却流体排出部の双方を冷却流体蓄積部内部に向けて突出させる。そして、冷却流体流入部の突出方向先端部分を鉛直方向上側に屈曲させる。また、冷却流体排出部の突出方向先端部分を鉛直方向下側に屈曲させる。
本発明によれば、冷却流体流入部および冷却流体排出部のうち少なくともいずれか一方を上述したように形成することで、冷却流体流入部の導出側開口の鉛直方向上端縁が冷却流体排出部の導入側開口の鉛直方向上端縁よりも鉛直方向上側に位置する構成を簡単にかつ容易に実現できる。
【００１１】
本発明の光学装置では、前記冷却流体流入部の前記導出側開口、および前記冷却流体排出部の前記導入側開口のうち少なくともいずれか一方は、鉛直方向に略直交するように形成されていることが好ましい。
本発明によれば、例えば、冷却流体流入部の導出側開口を鉛直方向上側に形成しかつ、鉛直方向に略直交するように形成すれば、冷却流体流入部を介した冷却流体は、冷却流体蓄積部内部において、鉛直方向上側に向けて導入される。このため、冷却流体に含まれる気泡等が冷却流体排出部に取り込まれることをより確実に防止できる。
また、例えば、冷却流体排出部の導入側開口を鉛直方向下側に形成しかつ、鉛直方向に略直交するように形成すれば、冷却流体蓄積部内部の冷却流体は、冷却流体排出部に鉛直方向下側から上側に向けて取り込まれる。このため、冷却流体流入部の導出側開口の鉛直方向上端縁が冷却流体排出部の導入側開口の鉛直方向上端縁よりも鉛直方向上側に位置する構成としておけば、冷却流体に含まれる気泡等が冷却流体排出部に取り込まれることをより確実に防止できる。
さらに、例えば、冷却流体流入部の導出側開口および冷却流体排出部の導入側開口の双方を上述したように形成すれば、冷却流体に含まれる気泡等が冷却流体排出部に取り込まれることをより一層確実に防止できる。
【００１２】
本発明の光学装置では、前記冷却流体流入部および前記冷却流体排出部は、鉛直方向と略直交する異なる軸線上にそれぞれ配置されていることが好ましい。
本発明によれば、冷却流体流入部および冷却流体排出部を上述したように配置することで、上述したように冷却流体流入部や冷却流体排出部の一部を屈曲させる必要がなく、冷却流体流入部の導出側開口の鉛直方向上端縁が冷却流体排出部の導入側開口の鉛直方向上端縁よりも鉛直方向上側に位置する構成を簡単にかつ容易に実現できる。
【００１３】
本発明の光学装置では、前記冷却流体流入部は、前記冷却流体蓄積部内部に突出し前記突出方向先端部分が複数分岐されて前記冷却流体を流通させる複数の流路を有し、当該光学装置を所定の姿勢で設置した際に、前記複数の流路のうち少なくともいずれか一の流路の前記導出側開口の鉛直方向上端縁が前記冷却流体排出部における前記導入側開口の鉛直方向上端縁よりも鉛直方向上側に位置し、前記複数の流路のうち少なくともいずれか他の流路の前記導出側開口の鉛直方向下端縁が前記冷却流体排出部における前記導入側開口の鉛直方向下端縁よりも鉛直方向下側に位置していることが好ましい。
ところで、光学装置を所定の姿勢で設置した際に冷却流体流入部の導出側開口の鉛直方向上端縁が冷却流体排出部の導入側開口の鉛直方向上端縁よりも鉛直方向上側に位置するように構成した場合には、前記所定の姿勢に対して上下が逆となる姿勢（以下、天地逆姿勢と記載する）で光学装置を設置すると、冷却流体流入部の導出側開口の鉛直方向上端縁が冷却流体排出部の導入側開口の鉛直方向上端縁よりも鉛直方向下側に位置してしまう虞がある。このような場合には、冷却流体に含まれる気泡等が冷却流体排出部に取り込まれてしまう虞がある。
本発明によれば、冷却流体流入部を上述したように形成することで、光学装置を所定の姿勢で設置した場合、および光学装置を天地逆姿勢で設置した場合の双方において、冷却流体流入部の導出側開口の鉛直方向上端縁が冷却流体排出部の導入側開口の鉛直方向上端縁よりも鉛直方向上側に位置する構成を実現できる。例えば、光学装置を所定の姿勢で設置した場合には冷却流体流入部の複数の流路のうち前記少なくともいずれか一の流路で冷却流体を流通させ、光学装置を天地逆姿勢で設置した場合には冷却流体流入部の複数の流路のうち前記少なくともいずれか他の流路で冷却流体を流通させることで、光学装置を所定の姿勢で設置した場合、および天地逆姿勢で設置した場合の双方において、冷却流体蓄積部内部にて気泡等を良好に捕捉でき、光変調素子にて形成される光学像の画像品質を良好に維持できる。
【００１４】
本発明の光学装置では、前記冷却流体流入部には、前記分岐位置に当該光学装置の姿勢状態に応じて、前記複数の流路のうち少なくともいずれかの流路を選択する切替弁が設けられていることが好ましい。
ここで、切替弁としては、例えば、駆動制御されることで自動で流路を切り替える構成や、錘等を用いて自重により流路を切り替える構成等を採用できる。
本発明によれば、冷却流体流入部に切替弁が設けられているので、光学装置を所定の姿勢で設置した場合には冷却流体流入部の複数の流路のうち前記少なくともいずれか一の流路で冷却流体を流通させ、光学装置を前記所定の姿勢に対して上下が逆となる姿勢で設置した場合には冷却流体流入部の複数の流路のうち前記少なくともいずれか他の流路で冷却流体を流通させる構成を確実に実現できる。
【００１５】
本発明の光学装置では、前記冷却流体流入部および前記冷却流体排出部は、鉛直方向と略直交する同一の軸線上にそれぞれ配置され、前記冷却流体蓄積部は、前記軸線を回転軸として前記冷却流体流入部および前記冷却流体排出部とともに回転可能に構成されていることが好ましい。
ところで、光学装置を所定の姿勢で設置した際に冷却流体流入部の導出側開口の鉛直方向上端縁が冷却流体排出部の導入側開口の鉛直方向上端縁よりも鉛直方向上側に位置するように構成した場合には、光学装置を天地逆姿勢で設置すると、冷却流体流入部の導出側開口の鉛直方向上端縁が冷却流体排出部の導入側開口の鉛直方向上端縁よりも鉛直方向下側に位置してしまう虞がある。このような場合には、冷却流体に含まれる気泡等が冷却流体排出部に取り込まれてしまう虞がある。
また、冷却流体蓄積部が光学装置の所定位置に固定されている場合には、気泡蓄積部は、冷却流体蓄積部内部の鉛直方向上側に常に形成されることとなるため、光学装置を所定の姿勢で設置した状態と天地逆姿勢で設置した状態とで気泡蓄積部の位置が異なることとなる。このため、光学装置を所定の姿勢で設置した状態から天地逆姿勢で設置した状態に移行すると、気泡蓄積部の位置が移動し、気泡蓄積部の位置の移動とともに蓄積された気泡等も移動することとなる。このように光学装置の姿勢状態を変更した場合には、気泡等の移動の際に該気泡等が冷却流体排出部に取り込まれてしまう虞がある。
本発明によれば、冷却流体蓄積部、冷却流体流入部、および冷却流体排出部は、鉛直方向と略直交する軸線を回転軸として回転可能に構成されているので、光学装置を所定の姿勢で設置した状態と天地逆姿勢で設置した状態とを移行させた場合であっても、該移行に連動して回転することで、常に、冷却流体流入部の導出側開口の鉛直方向上端縁が冷却流体排出部の導入側開口の鉛直方向上端縁よりも鉛直方向上側に位置する構成を実現できる。このため、光学装置を所定の姿勢で設置した場合、および天地逆姿勢で設置した場合の双方において、冷却流体蓄積部内部にて気泡等を良好に捕捉でき、光変調素子にて形成される光学像の画像品質を良好に維持できる。
また、光学装置を所定の姿勢で設置した状態と天地逆姿勢で設置した状態とを移行させた場合であっても、該移行に連動して冷却流体蓄積部が回転することで、冷却流体蓄積部内部において、気泡蓄積部の位置は移動しない。このため、光学装置を所定の姿勢で設置した状態から天地逆姿勢で設置した状態に移行しても、気泡蓄積部の位置が移動しないため、気泡等が常に同一の気泡蓄積部に蓄積された状態となる。したがって、光学装置を所定の姿勢で設置した状態と天地逆姿勢で設置した状態とを移行させた際でも、気泡等が移動することがなく該気泡等が冷却流体排出部に取り込まれることがない。
【００１６】
本発明のプロジェクタは、光源装置と、上述した光学装置と、前記光学装置にて形成された光学像を拡大投射する投射光学装置とを備えることを特徴とする。
本発明によれば、プロジェクタは、上述した光学装置を備えているので、上述した光学装置と同様の作用・効果を享受できる。
また、光変調素子を効率的に冷却できるため、プロジェクタの高寿命化が図れる。
さらに、光変調素子にて形成された光学像の画像品質を良好に維持できるため、プロジェクタにて鮮明な投影画像を常に形成できる。
【００１７】
本発明のプロジェクタは、光源装置と、上述した光学装置と、前記光学装置にて形成された光学像を拡大投射する投射光学装置と、前記流体圧送部を駆動制御する圧送駆動制御部とを備え、前記冷却流体蓄積部は、当該プロジェクタ内部の所定位置に固定され、前記圧送駆動制御部は、当該プロジェクタの姿勢状態に応じて、前記冷却流体の循環方向を切り替えることを特徴とする。
本発明によれば、プロジェクタは、上述した光学装置を備えているので、上述した光学装置と同様の作用・効果を享受できる。
また、光変調素子を効率的に冷却できるため、プロジェクタの高寿命化が図れる。
さらに、光変調素子にて形成された光学像の画像品質を良好に維持できるため、プロジェクタにて鮮明な投影画像を常に形成できる。
【００１８】
ところで、プロジェクタを所定の姿勢で設置した際に冷却流体流入部の導出側開口の鉛直方向上端縁が冷却流体排出部の導入側開口の鉛直方向上端縁よりも鉛直方向上側に位置するように構成した場合には、プロジェクタを天地逆姿勢で設置すると、冷却流体流入部の導出側開口の鉛直方向上端縁が冷却流体排出部の導入側開口の鉛直方向上端縁よりも鉛直方向下側に位置してしまう虞がある。このような場合には、冷却流体に含まれる気泡等が冷却流体排出部に取り込まれてしまう虞がある。
本発明では、圧送駆動制御部がプロジェクタの姿勢状態に応じて冷却流体の循環方向を切り替えるので、例えば、プロジェクタを所定の姿勢状態に設置した状態と天地逆姿勢に設置した状態とで冷却流体の循環方向が逆方向となるように構成できる。このように構成することで、プロジェクタを天地逆姿勢で設置して、冷却流体流入部の導出側開口の鉛直方向上端縁が冷却流体排出部の導入側開口の鉛直方向上端縁よりも鉛直方向下側に位置してしまう場合であっても、冷却流体の循環方向を切り替えて冷却流体流入部および冷却流体排出部の機能を逆に設定することで、常に、冷却流体流入部の導出側開口の鉛直方向上端縁が冷却流体排出部の導入側開口の鉛直方向上端縁よりも鉛直方向上側に位置する構成を実現できる。このため、プロジェクタを所定の姿勢で設置した場合、および天地逆姿勢で設置した場合の双方において、冷却流体蓄積部内部にて気泡等を良好に捕捉でき、光変調素子にて形成される光学像の画像品質を良好に維持できる。
【００１９】
本発明のプロジェクタは、光源装置と、上述した光学装置と、前記光学装置にて形成された光学像を拡大投射する投射光学装置と、前記流体圧送部を駆動制御する圧送駆動制御部とを備え、前記冷却流体流入部および前記冷却流体排出部は、鉛直方向と略直交する同一の軸線上に配置され、前記冷却流体蓄積部は、前記軸線を回転軸として回転可能に前記冷却流体流入部および前記冷却流体排出部に軸支され、前記圧送駆動制御部は、当該プロジェクタの姿勢状態に応じて、前記冷却流体の循環方向を切り替えることを特徴とする。
本発明によれば、プロジェクタは、上述した光学装置を備えているので、上述した光学装置と同様の作用・効果を享受できる。
また、光変調素子を効率的に冷却できるため、プロジェクタの高寿命化が図れる。
さらに、光変調素子にて形成された光学像の画像品質を良好に維持できるため、プロジェクタにて鮮明な投影画像を常に形成できる。
【００２０】
ところで、プロジェクタを所定の姿勢で設置した際に冷却流体流入部の導出側開口の鉛直方向上端縁が冷却流体排出部の導入側開口の鉛直方向上端縁よりも鉛直方向上側に位置するように構成した場合には、プロジェクタを天地逆姿勢で設置すると、冷却流体流入部の導出側開口の鉛直方向上端縁が冷却流体排出部の導入側開口の鉛直方向上端縁よりも鉛直方向下側に位置してしまう虞がある。このような場合には、冷却流体に含まれる気泡等が冷却流体排出部に取り込まれてしまう虞がある。
また、冷却流体蓄積部が光学装置の所定位置に固定されている場合には、気泡蓄積部は、冷却流体蓄積部内部の鉛直方向上側に常に形成されることとなるため、プロジェクタを所定の姿勢で設置した状態と天地逆姿勢で設置した状態とで気泡蓄積部の位置が異なることとなる。このため、プロジェクタを所定の姿勢で設置した状態から天地逆姿勢で設置した状態に移行すると、気泡蓄積部の位置が移動するため、気泡蓄積部の位置の移動とともに蓄積された気泡等も移動することとなる。このようにプロジェクタの姿勢状態を変更した場合には、気泡等の移動の際に該気泡等が冷却流体排出部に取り込まれてしまう虞がある。
本発明では、圧送駆動制御部がプロジェクタの姿勢状態に応じて冷却流体の循環方向を切り替えるので、例えば、プロジェクタを所定の姿勢状態に設置した状態と天地逆姿勢に設置した状態とで冷却流体の循環方向が逆方向となるように構成できる。このように構成することで、プロジェクタを天地逆姿勢で設置して冷却流体流入部の導出側開口の鉛直方向上端縁が冷却流体排出部の導入側開口の鉛直方向上端縁よりも鉛直方向下側に位置してしまう場合であっても、冷却流体の循環方向を切り替えて冷却流体流入部および冷却流体排出部の機能を逆に設定することで、常に、冷却流体流入部の導出側開口の鉛直方向上端縁が冷却流体排出部の導入側開口の鉛直方向上端縁よりも鉛直方向上側に位置する構成を実現できる。このため、プロジェクタを所定の姿勢で設置した場合、および天地逆姿勢で設置した場合の双方において、冷却流体蓄積部内部にて気泡等を良好に捕捉でき、光変調素子にて形成される光学像の画像品質を良好に維持できる。
また、プロジェクタを所定の姿勢で設置した状態と天地逆姿勢で設置した状態とを移行させた場合であっても、該移行に連動して冷却流体蓄積部が回転することで、冷却流体蓄積部内部において、気泡蓄積部の位置は移動しない。このため、プロジェクタを所定の姿勢で設置した状態から天地逆姿勢で設置した状態に移行しても、気泡蓄積部の位置が移動しないため、気泡等が常に同一の気泡蓄積部に蓄積された状態となる。したがって、プロジェクタを所定の姿勢で設置した状態と天地逆姿勢で設置した状態とを移行させた際でも、気泡等が移動することがなく該気泡等が冷却流体排出部に取り込まれることがない。
【発明を実施するための最良の形態】
【００２１】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射レンズＬと、制御装置（図示略）を備える。
なお、図１において、図示は省略するが、外装ケース２内において、冷却ユニット３、光学ユニット４、および投射レンズＬ以外の空間には、電源ブロック、ランプ駆動回路、前記制御装置等が配置されるものとする。
【００２２】
外装ケース２は、合成樹脂等から構成され、冷却ユニット３、光学ユニット４、投射レンズＬを内部に収納配置する全体略直方体状に形成されている。図示は省略するが、この外装ケース２には、冷却ユニット３によりプロジェクタ１外部から冷却空気を内部に導入するための吸気口およびプロジェクタ１内部で温められた空気を排出するための排気口が形成されている。
さらに、この外装ケース２には、図１に示すように、投射レンズＬの側方で外装ケース２の角部分に位置し、光学ユニット４の後述する光学装置のラジエータを他の部材と隔離する隔壁２１が形成されている。
【００２３】
冷却ユニット３は、プロジェクタ１内部に形成される冷却流路に冷却空気を送り込み、プロジェクタ１内で発生する熱を冷却する。この冷却ユニット３は、投射レンズＬの側方に位置し、外装ケース２に形成された図示しない吸気口からプロジェクタ１外部の冷却空気を内部に導入するシロッコファン３１と、外装ケース２に形成された隔壁２１内部に位置し、外装ケース２に形成された吸気口からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２４】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズＬは、複数のレンズが組み合わされた組レンズとして構成される。そして、この投射レンズＬは、光学ユニット４にて形成された光学像（カラー画像）を図示しないスクリーン上に拡大投射する。
制御装置は、ＣＰＵ(Central Processing Unit)等の演算処理装置を備え、所定のプログラムを実行してプロジェクタ１全体を制御する。この制御装置は、具体的な図示は省略するが、例えば、光学ユニット４を構成する後述する液晶パネルを駆動制御するパネル駆動制御部や、光学ユニット４を構成する後述する流体圧送部を駆動制御する圧送駆動制御部等を備える。なお、圧送駆動制御部の制御構造については、流体圧送部を説明する際に同時に説明する。
【００２５】
〔光学ユニットの詳細な構成〕
光学ユニット４は、図１に示すように、インテグレータ照明光学系４１と、色分離光学系４２と、リレー光学系４３と、光学装置４４と、これら光学部品４１〜４４を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２６】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２７】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２８】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１と、リレーレンズ４３３と、反射ミラー４３２，４３４とを備え、色分離光学系４２で分離された赤色光を光学装置４４の後述する赤色光用の液晶パネルまで導く機能を有している。
【００２９】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００３０】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路の長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路の長さが長いのでこのような構成とされているが青色光の光路の長さを長くする構成も考えられる。
【００３１】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、冷却流体蓄積部、および光変調素子保持体を備える。
【００３２】
液晶パネル４４１は、ガラス等からなる１対の基板４４１Ｃ，４４１Ｄ（図４、図５参照）に電気光学物質である液晶が密閉封入された構成を有している。このうち、基板４４１Ｃは、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄは、基板４４１Ｃに対して所定間隔を空けて対向配置される対向基板であり、所定の電圧が印加される共通電極を有している。そして、これら基板４４１Ｃ，４４１Ｄには、制御装置と電気的に接続し、前記走査線、前記データ線、前記スイッチング素子、および前記共通電極等に所定の駆動信号を出力するフレキシブルプリント基板４４１Ｅ（図４、図５参照）が接続されている。このフレキシブルプリント基板４４１Ｅを介して制御装置のパネル駆動制御部から駆動信号を入力することで、所定の前記画素電極と前記共通電極との間に電圧が印加され、該画素電極および共通電極間に介在する液晶の配向状態が制御されて、入射側偏光板４４２から射出された偏光光束の偏光方向が変調される。
【００３３】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、サファイアガラスまたは水晶等の透光性基板４４２Ａ（図４参照）上に偏光膜（図示略）が貼付された構成を有している。
射出側偏光板４４３は、入射側偏光板４４２と同様に透光性基板４４３Ａおよび光学変換膜としての偏光膜４４３Ｂ（図４参照）を有し、液晶パネル４４１から射出された光束のうち、入射側偏光板４４２における光束の透過軸と直交する偏光軸を有する光束のみ透過させ、その他の光束を吸収するものである。
【００３４】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３５】
〔光学装置の構成〕
図２は、光学装置本体４４０の概略構成を示す斜視図である。
光学装置４４は、図１または図２に示すように、液晶パネル４４１、入射側偏光板４４２、射出側偏光板４４３、およびクロスダイクロイックプリズム４４４が一体化された光学装置本体４４０と、メインタンク４４５（図１）と、流体圧送部４４６（図３参照）と、ラジエータ４４７（図１）と、複数の流体循環部材４４８（図２）とを備える。光学装置本体４４０は、図２に示すように、３つの液晶パネル４４１、３つの入射側偏光板４４２、３つの射出側偏光板４４３、およびクロスダイクロイックプリズム４４４と、３つの光変調素子保持体４４０２と、複数の流体循環部材４４８と、冷却流体蓄積部としての一対の中継タンク５とを基本構成として備える。
本実施形態の光学装置４４は、メインタンク４４５内の冷却流体を、流体圧送部により送出し、複数の流体循環部材４４８および中継タンク５を介して、液晶パネル４４１等に送り、液晶パネル４４１等を冷却する構造となっている。
【００３６】
複数の流体循環部材４４８は、内部に冷却流体が対流可能にアルミニウム製の管状部材で構成され、冷却流体を循環可能に各部材４４０，４４５，４４６，５，４４７を接続する。
なお、本実施形態では、冷却流体として、透明性の非揮発性液体であるエチレングリコールを採用する。冷却流体としては、エチレングリコールに限らず、その他の液体を採用してもよい。
ラジエータ４４７は、外装ケース２に形成された隔壁２１内に配置され、光学装置本体４４０において各液晶パネル４４１等にて温められた冷却流体の熱を放熱する。
【００３７】
メインタンク４４５は、略円柱形状であり、図示しないが、アルミニウム製の２つの容器状部材から構成され、２つの容器状部材の開口部分を互いに接続することで内部に冷却流体を一時的に蓄積する。このメインタンク４４５には、冷却流体を内部に流入させる冷却流体流入部（図示略）および内部の冷却流体を外部に排出させる冷却流体排出部（図示略）が形成されており、それぞれに流体循環部材４４８が接続されている。
このメインタンク４４５は、図１に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００３８】
〔流体圧送部の構造〕
図３は、流体圧送部４４６の構造、および圧送駆動制御部の制御構造を模式的に示す図である。
流体圧送部４４６は、メインタンク４４５、および中継タンク５（後述する中継タンク５２）の流路間に配設され、流体循環部材４４８を介してメインタンク４４５および中継タンク５２を接続し、制御装置の圧送駆動制御部６による制御の下、メインタンク４４５内の冷却流体を、複数の流体循環部材４４８を介して強制的に循環させるものである。
この流体圧送部４４６は、図３に示すように、略直方体状のアルミニウム製の中空部材内に羽根車（図示略）が配置された構成を有し、圧送駆動制御部６による制御の下、羽根車が回転することで、冷却流体を強制的に循環させる。このような構成では、流体圧送部４４６は、羽根車の回転軸方向の厚み寸法を小さくすることができ、プロジェクタ１内部の空きスペースに配置することが可能となる。
【００３９】
圧送駆動制御部６は、操作部７から出力される操作信号に応じて、流体圧送部４４６の通常姿勢時の制御および天吊姿勢時の制御を実施する。具体的に、圧送駆動制御部６は、操作部７から所定の操作信号を入力していない場合には、流体圧送部４４６の羽根車を所定方向に回転させることで、メインタンク４４５内に蓄積された冷却流体を送入させ、送入させた冷却流体を中継タンク５２に送出させる通常姿勢時の制御を実施する。また、圧送駆動制御部６は、操作部７から所定の操作信号を入力した場合には、流体圧送部４４６の羽根車を前記所定方向と逆方向に回転させることで、中継タンク５２内に蓄積された冷却流体を送入させ、送入させた冷却流体をメインタンク４４５に送出させる天吊姿勢時の制御を実施する。
【００４０】
操作部７は、図示しないリモートコントローラや、プロジェクタ１に備えられたボタンやキーにより構成され、利用者による操作を認識して所定の操作信号を制御装置に出力する。この操作部７は、具体的な図示は省略するが、プロジェクタ１の電源ＯＮ／ＯＦＦを実施する入力部、音量調整を実施する入力部、プロジェクタ１を天吊り状態で設置した旨の入力操作を実施する入力部等を備えている。
【００４１】
〔光変調素子保持体の構造〕
図４は、光変調素子保持体４４０２の概略構成を示す分解斜視図である。
図５は、光変調素子保持体４４０２の断面図である。なお、図５中の矢印は、プロジェクタ１が通常の姿勢状態で設置された場合での冷却流体の循環方向を示すものである。
３つの光変調素子保持体４４０２は、３つの液晶パネル４４１、３つの入射側偏光板４４２、および３つの射出側偏光板４４３をそれぞれ保持する。また、この光変調素子保持体４４０２内部には、冷却流体が流入し、該冷却流体により３つの液晶パネル４４１、３つの入射側偏光板４４２、および３つの射出側偏光板４４３がそれぞれ冷却される。
【００４２】
光変調素子保持体４４０２は、一対の枠状部材４４０５，４４０６と、４つの弾性部材４４０７（４４０７Ａ〜４４０７Ｄ）と、一対の偏光板固定部材４４０８Ａ，４４０８Ｂと、中間枠体４４０９とを備える。
【００４３】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６にそれぞれ押圧固定するものである。これら偏光板固定部材４４０８Ａ，４４０８Ｂは、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｈ，４４０６Ｌに係合させることで、枠状部材４４０５，４４０６に対して、入射側偏光板４４２および射出側偏光板４４３を押圧した状態で、偏光板固定部材４４０８Ａ，４４０８Ｂが固定される。
【００４４】
弾性部材４４０７は、入射側偏光板４４２および枠状部材４４０５の間に介在配置される第１弾性部材４４０７Ａと、枠状部材４４０５および中間枠体４４０９の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとを備える。
このうち、第１弾性部材４４０７Ａ、および第４弾性部材４４０７Ｄは、略矩形枠状に形成され、後述する枠状部材４４０５，４４０６の各凹部４４０５Ｅ，４４０６Ｂに設置される。
また、第２弾性部材４４０７Ｂは、略矩形枠状に形成されるとともに、上方側左右方向略中央部分に挿通孔４４０７Ｂ１が形成される。この第２弾性部材４４０７Ｂは、後述する枠状部材４４０５の凹部４４０５Ｂに設置される。
さらに、第３弾性部材４４０７Ｃは、略矩形枠状に形成されるとともに、下方側左右方向略中央部分に挿通孔４４０７Ｃ１が形成されている。この第３弾性部材４４０７Ｃは、後述する枠状部材４４０６の凹部４４０６Ｆに設置される。
【００４５】
これら弾性部材４４０７としては、弾性を有するシリコンゴムを採用でき、さらに、両面あるいは片面に表層の架橋密度を上げる表面処理を施したものが好ましい。このように、端面に表面処理を施すことにより、弾性部材４４０７を各凹部４４０５Ｂ，４４０５Ｅ，４４０６Ｂ，４４０６Ｇに設置する作業を容易に実施できる。
なお、弾性部材４４０７は、シリコンゴムに限らず、水分透過量の少ないブチルゴムまたはフッ素ゴムを使用してもよい。
【００４６】
枠状部材４４０５は、液晶パネル４４１の光束入射側と、入射側偏光板４４２の光束射出側との間に配置され、液晶パネル４４１の光束入射側を支持するとともに入射側偏光板４４２の光束射出側を支持する。
この枠状部材４４０５は、略中央部分に液晶パネル４４１の画像形成領域に対応した矩形状の開口部４４０５Ａを有する平面視略矩形状のアルミニウム製の枠体である。
この枠状部材４４０５の光束射出側端面には、図４または図５に示すように、第２弾性部材４４０７Ｂが嵌め込まれる凹部４４０５Ｂが形成されている。
この凹部４４０５Ｂに第２弾性部材４４０７Ｂを嵌めこみ、中間枠体４４０９に保持された液晶パネル４４１を開口部４４０５Ａに対向させることで、開口部４４０５Ａの光束射出側が閉塞される。
図５に示すように、この枠状部材４４０５の下方側左右方向略中央部分には、光束射出側端面および光束入射側端面を貫通する孔４４０５Ｊが形成されている。さらには、枠状部材４４０５には、この孔４４０５Ｊと連通し、光束射出側に向かって突出した筒状部４４０５Ｃが形成されている。
また、枠状部材４４０５の下部には、下方に突出した筒状部４４０５Ｉが形成されている。この筒状部４４０５Ｉは、流体循環部材４４８と接続されるものである。
筒状部４４０５Ｃは、この筒状部４４０５Ｉに対して略直交するように配置され、連通接続している。そして、この筒状部４４０５Ｃの内側面の一部は、前記筒状部４４０５Ｉの中心軸と交差するように延出し、該内側面の一部には前記筒状部４４０５Ｉを介して流入した冷却流体を、枠状部材４４０５の光束入射側および光束射出側に分流する突出部４４０５Ｃ２が形成されている。
【００４７】
また、凹部４４０５Ｂにおける上方側の左右方向略中央部分には、光束射出側端面および光束入射側端面を貫通し、枠状部材４４０６の後述する筒状部４４０６Ｄを挿通可能とする挿通孔４４０５Ｄが形成されている。
さらに、枠状部材４４０５の光束入射側端面には、第１弾性部材４４０７Ａに対応した凹部４４０５Ｅが形成されている。この凹部４４０５Ｅに第１弾性部材４４０７Ａを嵌め込み、入射側偏光板４４２を第１弾性部材４４０７Ａに当接させて、枠状部材４４０５と偏光板固定部材４４０８Ａとで挟持することで、入射側偏光板４４２が保持されることとなる。
また、枠状部材４４０５の光束入射側端面には、凹部４４０５Ｅよりも深い凹部４４０５Ｆが形成されている。
【００４８】
以上のような構成の枠状部材４４０５では、凹部４４０５Ｂにて第２弾性部材４４０７Ｂおよび中間枠体４４０９を介して液晶パネル４４１の光束入射側端面を支持することで、開口部４４０５Ａの光束射出側が閉塞される。また、枠状部材４４０５に対して偏光板固定部材４４０８Ａを固定することで、入射側偏光板４４２が第１弾性部材４４０７Ａを介して枠状部材４４０５に押圧され、枠状部材４４０５の開口部４４０５Ａの光束入射側が封止される。そして、枠状部材４４０５の開口部４４０５Ａの光束入射側および光束射出側が閉塞されることで、枠状部材４４０５内部に冷却流体を封入可能とする第１冷却室Ｒ１（図５）が形成される。
第１冷却室Ｒ１は、液晶パネル４４１の画像形成領域に対向したものであり、入射側偏光板４４２および液晶パネル４４１により形成されたものであるため、これらの熱が第１冷却室Ｒ１内の冷却流体に熱伝達可能となっている。
【００４９】
枠状部材４４０６は、光束入射側端面で第３弾性部材４４０７Ｃを介して液晶パネル４４１を保持するとともに、光束射出側端面で第４弾性部材４４０７Ｄを介して射出側偏光板４４３を保持するものである。
この枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。
この枠状部材４４０６において、光束射出側端面には、第４弾性部材４４０７Ｄの形状に対応して矩形枠状の凹部４４０６Ｂが形成され、この凹部４４０６Ｂにて第４弾性部材４４０７Ｄを介して射出側偏光板４４３を支持する。そして、枠状部材４４０６が射出側偏光板４４３の光束入射側端面を支持することで、射出側偏光板４４３の光束入射側端面にて、開口部４４０６Ａにおける光束射出側が閉塞される。
さらに、枠状部材４４０６の凹部４４０６Ｂの内側には、凹部４４０６Ｂよりも深い凹部４４０６Ｅが形成されている。この凹部４４０６Ｅに連通するように、枠状部材４４０６には、上方に突出した筒状部４４０６Ｉが形成されている。
また、この筒状部４４０６Ｉに連通するように枠状部材４４０６の光束入射側端面には、枠状部材４４０５側に突出した筒状部４４０６Ｄが形成されている。
筒状部４４０６Ｄは、この筒状部４４０６Ｉに対して略直交するように配置され、連通接続している。そして、この筒状部４４０６Ｄの内側面の一部は、前記筒状部４４０６Ｉの中心軸と交差するように延出し、該内側面の一部には前記筒状部４４０６Ｉを介して流入した冷却流体を、枠状部材４４０６の光束入射側および光束射出側に分流する突出部４４０６Ｄ２が形成されている。
なお、光束入射側端面には、第３弾性部材４４０７Ｃに対応した形状の凹部４４０６Ｆが形成されており、この凹部４４０６Ｆに第３弾性部材４４０７Ｃを嵌め込み、さらに、枠状部材４４０５により液晶パネル４４１を押圧することで、枠状部材４４０６の開口部４４０６Ａが閉鎖される。
すなわち、枠状部材４４０６では、光束入射側端面に液晶パネル４４１を押圧するとともに、光束射出側端面に射出側偏光板４４３を押圧することで、開口部４４０６Ａが閉鎖され、枠状部材４４０６内部に冷却流体が封入される第２冷却室Ｒ２（図５）が形成される。
第２冷却室Ｒ２は、液晶パネル４４１の画像形成領域に対向したものであり、射出側偏光板４４３および液晶パネル４４１により形成されたものであるため、これらの熱は第２冷却室Ｒ２内の冷却流体に熱伝達可能となっている。
【００５０】
さらに、このような枠状部材４４０６には、枠状部材４４０５の筒状部４４０５Ｃを送入するための孔４４０６Ｃが形成されている。この孔４４０６Ｃは、第２冷却室Ｒ２に連通するように形成されている。
以上のような枠状部材４４０５，４４０６には、それぞれねじ孔が形成されており、このねじ孔にねじを螺合することで、枠状部材４４０５，４４０６が組み合わされる。
枠状部材４４０６と枠状部材４４０５とを組み合わせた状態では、枠状部材４４０６における筒状部４４０６Ｄが、中間枠体４４０９の後述する挿通孔４４０９Ｄ、第２弾性部材４４０７Ｂの挿通孔４４０７Ｂ１を介して、枠状部材４４０５における挿通孔４４０５Ｄに挿通される。
また、枠状部材４４０６と枠状部材４４０５とを組み合わせた状態では、枠状部材４４０５の筒状部４４０５Ｃが中間枠体４４０９の挿通孔４４０９Ｄ、第３弾性部材４４０７Ｃの挿通孔４４０７Ｃ１を介して枠状部材４４０６の孔４４０６Ｃに挿入される。
【００５１】
中間枠体４４０９は、アルミニウム製の平面視略矩形状の板体から構成され、液晶パネル４４１を保持するとともに、該液晶パネル４４１を枠状部材４４０５，４４０６の所定位置に位置決めするものである。
この中間枠体４４０９において、その略中央部分には、液晶パネル４４１の対向基板４４１Ｄを嵌合可能な矩形状の開口部４４０９Ａが形成され、液晶パネル４４１の対向基板４４１Ｄを開口部４４０９Ａに嵌合させることで、中間枠体４４０９に対して液晶パネル４４１が位置決めされる。
また、この中間枠体４４０９において、下方側端部の左右方向略中央部分、および上方側端部の光束射出側から見て左側角隅部分には、枠状部材４４０６の筒状部４４０６Ｄ、枠状部材４４０５の筒状部４４０５Ｃをそれぞれ挿通可能とする２つの挿通孔４４０９Ｄが形成されている。これら挿通孔４４０９Ｄは、枠状部材４４０５，４４０６に対する中間枠体４４０９の位置決め用の孔としての機能を有し、予め、中間枠体４４０９に対して液晶パネル４４１を位置決め固定した状態で、中間枠体４４０９の２つの挿通孔４４０９Ｄに枠状部材４４０６の筒状部４４０６Ｄ、枠状部材４４０５の筒状部４４０５Ｃをそれぞれ挿通することで、枠状部材４４０６，４４０５に対して中間枠体４４０９が位置決めされ、すなわち、液晶パネル４４１が枠状部材４４０６，４４０５の所定位置に位置決めされる。
【００５２】
〔中継タンクの構造〕
図６は、中継タンク５の構造を示す断面図である。なお、図６では、プロジェクタ１が通常の姿勢状態（プロジェクタ１の底面が机等の接地面に接地された状態）に設置した場合での断面図である。
一対の中継タンク５は、図２または図６に示すように、クロスダイクロイックプリズム４４４の光束入射側端面と交差する上下端面にそれぞれ対向配置されている。ここで、クロスダイクロイックプリズム４４４の上面に配置される中継タンク５を中継タンク５１、クロスダイクロイックプリズム４４４の下面に配置される中継タンク５を中継タンク５２とする。
中継タンク５１は、図６に示すように、冷却流体を一時的に蓄積するタンク本体５１１と、タンク本体５１１をクロスダイクロイックプリズム４４４に固定する固定部材５１２と、タンク本体５１１内外に冷却流体を流通させる一対の流通パイプ５１３，５１４とを備える。
【００５３】
固定部材５１２は、中空の略直方体形状であり、断面略コ字形状の本体部５１２Ａと、本体部５１２Ａの開口を閉塞する蓋部５１２Ｂとを備える。そして、固定部材５１２は、内部の所定位置にタンク本体５１１を固定するとともに、中継タンク５１全体をクロスダイクロイックプリズム４４４の上面に固定する。
タンク本体５１１は、略直方体状のアルミニウム製の中空部材で構成され、一対の流通パイプ５１３，５１４を介して内部に流入した冷却流体を一時的に蓄積する。また、タンク本体５１１の内部には、図６に示すように、冷却流体を一時的に蓄積した状態で、鉛直方向（図６中、上下方向）上側に、冷却流体に含まれる気泡やゴミ等を蓄積する気泡蓄積部５１１Ａが形成される。
【００５４】
一対の流通パイプ５１３，５１４は、図６に示すように、固定部材５１２およびタンク本体５１１における鉛直方向と略直交する水平軸（図６中、左右方向）と交差する端面を貫通するように設けられ、タンク本体５１１の内部、および固定部材５１２の外部に突出するように形成されている。また、一対の流通パイプ５１３，５１４は、各筒状軸が鉛直方向に直交する所定の軸線上に一致するように、すなわち、同軸上に配置されている。
これらのうち、流通パイプ５１３において、タンク本体５１１内部に突出した先端部分は、図６に示すように、鉛直方向上側に屈曲している。また、流通パイプ５１３のタンク本体５１１内部に突出した先端部分の開口５１３Ａは、鉛直方向に平行するように形成されている。
また、流通パイプ５１３において、固定部材５１２の外部に突出した端部には、図６に示すように、流体循環部材４４８が接続され、該流体循環部材４４８を介して、３つの光変調素子保持体４４０２の各筒状部４４０６Ｉと冷却流体を流通可能に接続している。
また、流通パイプ５１４において、固定部材５１２の外部に突出した端部には、図６に示すように、流体循環部材４４８が接続され、該流体循環部材４４８を介してラジエータ４４７と冷却流体を流通可能に接続している。
【００５５】
中継タンク５２は、中継タンク５１のタンク本体５１１（気泡蓄積部５１１Ａを含む）、固定部材５１２（本体部５１２Ａおよび蓋部５１２Ｂを含む）、および一対の流通パイプ５１３，５１４と同様の、タンク本体５２１（気泡蓄積部５２１Ａを含む）、固定部材５２２（本体部５２２Ａおよび蓋部５２２Ｂを含む）、および一対の流通パイプ５２３，５２４を備える。そして、中継タンク５２は、固定部材５２２により、クロスダイクロイックプリズム４４４の下面に固定される。
一対の流通パイプ５２３，５２４のうち、流通パイプ５２３において、タンク本体５２１内部に突出した先端部分は、流通パイプ５１３と同様に、図６に示すように、鉛直方向上側に屈曲している。また、流通パイプ５２３のタンク本体５２１内部に突出した先端部分の開口５２３Ａは、鉛直方向に平行するように形成されている。
また、流通パイプ５２３において、固定部材５２２の外部に突出した端部には、図６に示すように、流体循環部材４４８が接続され、該流体循環部材４４８を介して、流体圧送部４４６と冷却流体を流通可能に接続している。
また、流通パイプ５２４において、固定部材５２２の外部に突出した端部には、図２または図６に示すように、流体循環部材４４８が接続され、該流体循環部材４４８を介して３つの光変調素子保持体４４０２の各筒状部４４０５Ｉと冷却流体を流通可能に接続している。
【００５６】
〔冷却流体の循環流路〕
次に、上述した光学装置４４における冷却流体の循環流路について説明する。
なお、プロジェクタ１の姿勢状態に応じて、圧送駆動制御部６により流体圧送部４４６の通常姿勢時の制御および天吊姿勢時の制御が実施されるため、以下では、プロジェクタ１が通常の姿勢状態の場合、天吊りの姿勢状態（プロジェクタ１の底面が天井等に接地した状態）の場合を順に説明する。
【００５７】
〔通常の姿勢状態〕
プロジェクタ１が通常の姿勢状態に設置され、圧送駆動制御部６が流体圧送部４４６の通常姿勢時の制御を実施した場合には、以下に示すように、冷却流体が循環する。
具体的に、流体圧送部４４６の羽根車が所定方向に回転することで、メインタンク４４５に蓄積された冷却流体は、流体圧送部４４６を介して排出され、図６に示すように、流体循環部材４４８を通り、中継タンク５２の流通パイプ５２３を介してタンク本体５２１内部に導入される。タンク本体５２１内部に導入された冷却流体は、図６に示すように、流通パイプ５２４を介してタンク本体５２１外部に排出される。
【００５８】
中継タンク５２から排出された冷却流体は、流体循環部材４４８により分流されて、各光変調素子保持体４４０２の各筒状部４４０５Ｉを介して各光変調素子保持体４４０２内部に導入される。光変調素子保持体４４０２内部に導入された冷却流体は、図５に示すように、突出部４４０５Ｃ２により、枠状部材４４０５の光束入射側および光束射出側に分流される。そして、枠状部材４４０５の光束入射側に分流された冷却流体は、図５に示すように、第１冷却室Ｒ１内に導入され、入射側偏光板４４２および液晶パネル４４１を冷却して、枠状部材４４０６の筒状部４４０６Ｄおよび筒状部４４０６Ｉを介して外部に排出される。
【００５９】
一方、枠状部材４４０５の光束射出側に分流された冷却流体は、図５に示すように、筒状部４４０５Ｃを介して第２冷却室Ｒ２内に導入される。第２冷却室Ｒ２内の冷却流体は、図５に示すように、液晶パネル４４１および射出側偏光板４４３を冷却した後、枠状部材４４０６の筒状部４４０６Ｉを介して外部に排出される。
筒状部４４０６Ｉから排出された冷却流体は、流体循環部材４４８により合流して、図６に示すように、中継タンク５１の流通パイプ５１３を介してタンク本体５１１内部に導入される。タンク本体５１１内部に導入された冷却流体は、図６に示すように、流通パイプ５１４を介してタンク本体５１１外部に排出される。
【００６０】
中継タンク５１から排出された冷却流体は、流体循環部材４４８を通って、ラジエータ４４７に導入される。そして、液晶パネル４４１、入射側偏光板４４２、および射出側偏光板４４３により温められた熱がラジエータ４４７により放熱される。そして、冷却流体は、ラジエータ４４７を介して、再度、メインタンク４４５に戻る。
すなわち、プロジェクタ１が通常の姿勢状態の場合には、冷却流体は、メインタンク４４５、流体圧送部４４６、中継タンク５２、各光変調素子保持体４４０２、中継タンク５１、およびラジエータ４４７の順に循環する。
【００６１】
プロジェクタ１が通常の姿勢状態の場合には、中継タンク５２が本発明に係る送出側蓄積部に相当し、中継タンク５１が本発明に係る送入側蓄積部に相当する。また、流通パイプ５１３，５２３が本発明に係る冷却流体流入部に相当し、流通パイプ５１４，５２４が本発明に係る冷却流体排出部に相当する。さらに、流通パイプ５１３，５２３の開口５１３Ａ，５２３Ａが本発明に係る導出側開口に相当し、流通パイプ５１４，５２４の開口５１４Ａ，５２４Ａが本発明に係る導入側開口に相当する。
【００６２】
〔天吊りの姿勢状態〕
図７は、プロジェクタ１を天吊りの姿勢状態に設置した場合での冷却流体の循環方向を示す断面図である。
プロジェクタ１が天吊りの姿勢状態に設置され、利用者により操作部７に「プロジェクタ１を天吊りの姿勢状態に設置した」旨の入力操作が実施されると、圧送駆動制御部６は、操作部７から出力される操作信号を認識し、流体圧送部４４６の天吊姿勢時の制御を実施する。
具体的には、流体圧送部４４６の羽根車の回転方向を上述した通常の姿勢状態の場合での回転方向と逆方向に回転させることで、上述した通常の姿勢状態の場合での循環方向と逆方向、すなわち、メインタンク４４５、ラジエータ４４７、中継タンク５１、各光変調素子保持体４４０２、中継タンク５２、流体圧送部４４６の順に冷却流体が循環する。
この際、中継タンク５１において、ラジエータ４４７から排出された冷却流体は、図７に示すように、流通パイプ５１４を介してタンク本体５１１内部に導入する。また、タンク本体５１１内部に導入された冷却流体は、図７に示すように、流通パイプ５１３を介してタンク本体５１１外部に排出される。そして、タンク本体５１１外部に排出された冷却流体は、流体循環部材４４８により分流されて、各光変調素子保持体４４０２の各筒状部４４０６Ｉを介して各光変調素子保持体４４０２内部に導入される。
【００６３】
また、中継タンク５２において、各光変調素子保持体４４０２の各筒状部４４０５Ｉを介して外部に排出された冷却流体は、流体循環部材４４８により合流されて、流通パイプ５２４を介して、タンク本体５２１内部に導入される。そして、タンク本体５２１内部に導入された冷却流体は、流通パイプ５２３を介して、外部に排出され、流体循環部材４４８を介して流体圧送部４４６に導入される。
【００６４】
プロジェクタ１が天吊りの姿勢状態の場合には、通常の姿勢状態に対して冷却流体の流路方向が逆転するため、中継タンク５１が本発明に係る送出側蓄積部に相当し、中継タンク５２が本発明に係る送入側蓄積部に相当する。また、流通パイプ５１４，５２４が本発明に係る冷却流体流入部に相当し、流通パイプ５１３，５２３が本発明に係る冷却流体排出部に相当する。さらに、流通パイプ５１４，５２４の開口５１４Ａ，５２４Ａが本発明に係る導出側開口に相当し、流通パイプ５１３，５２３の開口５１３Ａ，５２３Ａが本発明に係る導入側開口に相当する。
【００６５】
上述した第１実施形態においては、光学装置本体４４０が流体圧送部４４６を備え、流体圧送部４４６により冷却流体が強制的に循環されるので、冷却流体は、光変調素子保持体４４０２の冷却室Ｒ１，Ｒ２内外に常に対流することとなる。このため、従来のように冷却室内に冷却流体を密封させておく場合と比較して、冷却流体が温められにくく、冷却流体と液晶パネル４４１との温度差を良好に維持して液晶パネル４４１を効率的に冷却できる。
ここで、冷却室Ｒ１，Ｒ２は、液晶パネル４４１のみならず、入射側偏光板４４２および射出側偏光板４４３にて閉塞されるので、入射側偏光板４４２および射出側偏光板４４３も効率的に冷却できる。
そして、液晶パネル４４１、入射側偏光板４４２、および射出側偏光板４４３を効率的に冷却できるため、プロジェクタ１の高寿命化が図れる。
【００６６】
また、冷却流体に含まれる気泡等は、浮力により鉛直方向上側に移動する。本実施形態では、プロジェクタ１が通常の姿勢状態で設置された状態で、流通パイプ５１３，５２３（冷却流体流入部）の開口５１３Ａ，５２３Ａ（導出側開口）の鉛直方向上端縁が流通パイプ５１４，５２４（冷却流体排出部）の開口５１４Ａ，５２４Ａ（導入側開口）の鉛直方向上端縁よりも鉛直方向上側に位置しているので、流通パイプ５１３，５２３を介して中継タンク５１，５２内部に導入された冷却流体に含まれる気泡等が流通パイプ５１４，５２４に取り込まれにくくなり、前記気泡等を気泡蓄積部５１１Ａ，５２１Ａに良好に蓄積させることができる。このため、中継タンク５１，５２内部にて冷却流体に含まれる気泡等を捕捉でき、光変調素子保持体４４０２の冷却室Ｒ１，Ｒ２内の光路中に前記気泡等が侵入してしまうのを防止し、液晶パネル４４１、入射側偏光板４４２、および射出側偏光板４４３にて形成される光学像の画像品質を良好に維持できる。
【００６７】
ここで、中継タンク５１，５２がクロスダイクロイックプリズム４４４の上下面に配設されているので、光学装置本体４４０における余スペースに中継タンク５を配設でき、光学装置本体４４０の大型化を抑制できる。
また、中継タンク５１，５２を上述したように配設することで、プロジェクタ１を通常の姿勢状態で設置した場合に、冷却室Ｒ１，Ｒ２内部において、冷却流体を鉛直方向下側から鉛直方向上側に流通させることができる。このため、冷却室Ｒ１，Ｒ２内部において、液晶パネル４４１、入射側偏光板４４２、および射出側偏光板４４３から冷却流体に放熱された熱の移動方向と、冷却流体の流通方向とを同一に設定でき、熱が冷却室Ｒ１，Ｒ２内部において滞留することを防止できる。したがって、冷却流体と液晶パネル４４１、入射側偏光板４４２、および射出側偏光板４４３との温度差を良好に維持でき、液晶パネル４４１、入射側偏光板４４２、および射出側偏光板４４３を効率的に冷却できる。
【００６８】
さらに、各液晶パネル４４１、各入射側偏光板４４２、および各射出側偏光板４４３の発熱量がＲ，Ｇ，Ｂ毎に異なる場合には、プロジェクタ１を通常の姿勢状態に設置した際、各光変調素子保持体４４０２に形成された各冷却室Ｒ１，Ｒ２から排出された温度の異なる冷却流体は、一括して中継タンク５１に導入されることで、温度が均一化される。また、中継タンク５２に蓄積された冷却流体は、分岐されて各光変調素子保持体４４０２に形成された各冷却室Ｒ１，Ｒ２に導入されるので、各液晶パネル４４１、各入射側偏光板４４２、および各射出側偏光板４４３をＲ，Ｇ，Ｂ毎に均一に冷却できる。
さらにまた、光変調素子保持体４４０２と流体圧送部４４６との流路間に、中継タンク５が配設されているので、冷却流体に含まれる気泡等が流体圧送部４４６内に混入することを回避し、前記気泡等による流体圧送部４４６の不具合も防止できる。
【００６９】
また、流通パイプ５１３，５２３および流通パイプ５１４，５２４は、タンク本体５１１，５２１における鉛直方向と略直交する水平軸と交差する端面に同軸となるように配設され、流通パイプ５１３，５２３のタンク本体５１１，５２１内部に突出した先端部分は、プロジェクタ１を通常の姿勢状態に設置した状態で、鉛直方向上側に屈曲している。このことにより、プロジェクタ１を通常の姿勢状態に設置した状態で、流通パイプ５１３，５２３（冷却流体流入部）の開口５１３Ａ，５２３Ａ（導出側開口）の鉛直方向上端縁が流通パイプ５１４，５２４の開口５１４Ａ，５２４Ａ（導入側開口）の鉛直方向上端縁よりも鉛直方向上側に位置する構成を簡単にかつ容易に実現できる。
【００７０】
ところで、一対の流通パイプ５１３，５１４および一対の流通パイプ５２３，５２４を上述したように構成した場合には、プロジェクタ１を天吊りの姿勢状態に設置すると、図７に示すように、流通パイプ５１３，５２３の開口５１３Ａ，５２３Ａの鉛直方向上端縁が流通パイプ５１４，５２４の開口５１４Ａ，５２４Ａの鉛直方向上端縁よりも鉛直方向下側に位置してしまう。このため、プロジェクタ１を天吊りの姿勢状態に設置した場合に、圧送駆動制御部６が流体圧送部４４６の通常姿勢時の制御を実施すると、冷却流体に含まれる気泡等が流通パイプ５１４，５２４に取り込まれてしまう。
本実施形態では、圧送駆動制御部６がプロジェクタ１の姿勢状態に応じて冷却流体の循環方向を切り替えるので、プロジェクタ１を通常の姿勢状態に設置した状態と天吊りの姿勢状態に設置した状態とで冷却流体の循環方向が逆方向となるように構成できる。このため、プロジェクタ１を天吊りの姿勢状態に設置することで、流通パイプ５１３，５２３の開口５１３Ａ，５２３Ａの鉛直方向上端縁が流通パイプ５１４，５２４の開口５１４Ａ，５２４Ａの鉛直方向上端縁よりも鉛直方向下側に位置してしまっても、冷却流体の循環方向を切り替えて流通パイプ５１３，５２３と流通パイプ５１４，５２４の機能を逆に設定することで、流通パイプ５１４，５２４（冷却流体流入部）の開口５１４Ａ，５２４Ａ（導出側開口）の鉛直方向上端縁を流通パイプ５１３，５２３（冷却流体排出部）の開口５１３Ａ，５２３Ａ（導入側開口）の鉛直方向上端縁よりも鉛直方向上側に位置させることができる。したがって、プロジェクタ１を通常の姿勢状態に設置した場合、および天吊りの姿勢状態に設置した場合の双方において、中継タンク５内部にて気泡等を良好に捕捉でき、液晶パネル４４１、入射側偏光板４４２、および射出側偏光板４４３にて形成される光学像の画像品質を良好に維持できる。
【００７１】
そして、液晶パネル４４１、入射側偏光板４４２、および射出側偏光板４４３にて形成される光学像の画像品質を良好に維持できるため、プロジェクタ１にて鮮明な投影画像を常に形成できる。
【００７２】
[第２実施形態]
次に、本発明の第２実施形態を図面に基づいて説明する。
なお、以下の説明では、既に説明した部分と同一の部分については、同一符号を付してその説明を省略する。
図８は、第２実施形態における中継タンク５´の構造を示す断面図である。なお、図８では、プロジェクタ１を通常の姿勢状態に設置した場合での断面図である。
前記第１実施形態では、中継タンク５を構成するタンク本体５１１，５２１は、固定部材５１２，５２２にそれぞれ固定されている。
これに対して第２実施形態では、図８に示すように、中継タンク５´（中継タンク５１´）を構成するタンク本体５１１´は、一対の流通パイプ５１３´，５１４´に回転可能に軸支されている。また、中継タンク５´（中継タンク５２´）を構成するタンク本体５２１´も同様に、一対の流通パイプ５２３´，５２４´に回転可能に軸支されている。中継タンク５´以外の構成は、前記第１実施形態と同様のものである。
【００７３】
中継タンク５１´は、図８に示すように、前記第１実施形態で説明したタンク本体５１１（気泡蓄積部５１１Ａを含む）、固定部材５１２（本体部５１２Ａおよび蓋部５１２Ｂを含む）、および一対の流通パイプ５１３，５１４（開口５１３Ａ，５１４Ａを含む）と略同様のタンク本体５１１´、固定部材５１２´、および一対の流通パイプ５１３´，５１４´の他、一対の回動部材５１５を備える。
タンク本体５１１´の側端面には、図８に示すように、一対の流通パイプ５１３´，５１４´を貫通させるとともに、一対の回動部材５１５を構成する後述する接続部材を設置するための一対の開口部５１１Ｂが同軸上に形成されている。
同様に、固定部材５１２´を構成する本体部５１２Ａの側端面には、図８に示すように、一対の流通パイプ５１３´，５１４´を貫通させるとともに、一対の回動部材５１５を構成する後述するボールベアリングを設置するための一対の開口部５１２Ａ１が形成されている。
一対の流通パイプ５１３´，５１４´の外周面には、図８に示すように、一対の回動部材５１５を構成する後述するＯリングを設置するための凹部５１３Ｂ，５１４Ｂが形成されている。
【００７４】
一対の回動部材５１５は、固定部材５１２´および一対の流通パイプ５１３´，５１４´とタンク本体５１１´との間に配設され、固定部材５１２´および一対の流通パイプ５１３´，５１４´に対してタンク本体５１１´を回動可能とする部材である。この回動部材５１５は、図８に示すように、ボールベアリング５１５１と、接続部材５１５２と、Ｏリング５１５３とを備える。
ボールベアリング５１５１は、略筒状に構成され、相互に回転自在に構成される外輪部５１５１Ａおよび内輪部５１５１Ｂを備える。そして、外輪部５１５１Ａは、図８に示すように、固定部材５１２´の開口部５１２Ａ１の内周面に固定されている。
接続部材５１５２は、流通パイプ５１３´，５１４´を内部に挿通可能とする筒状部材で構成され、その外周面にて内輪部５１５１Ｂの内周面、およびタンク本体５１１´の開口部５１１Ｂの内周面を接続する。
Ｏリング５１５３は、弾性部材で構成され、凹部５１３Ｂ，５１４Ｂに設置される。そして、Ｏリング５１５３は、中継タンク５１´を組み立てた状態で、流通パイプ５１３´，５１４´と接続部材５１５２との隙間を閉塞し、タンク本体５１１´内部の冷却流体が外部に漏れることを防止する。
【００７５】
中継タンク５２´は、図８に示すように、前記第１実施形態で説明したタンク本体５２１（気泡蓄積部５２１Ａを含む）、固定部材５２２（本体部５２２Ａおよび蓋部５２２Ｂを含む）、および一対の流通パイプ５２３，５２４（開口５２３Ａ，５２４Ａを含む）と略同様のタンク本体５２１´、固定部材５２２´、および一対の流通パイプ５２３´，５２４´の他、一対の回動部材５２５を備える。なお、タンク本体５２１´、固定部材５２２´、および一対の流通パイプ５２３´，５２４´は、図８に示すように、上述したタンク本体５１１´の一対の開口部５１１Ｂ、固定部材５１２´の一対の開口部５１２Ａ１、流通パイプ５１３´，５１４´の凹部５１３Ｂ，５１４Ｂと同様の、一対の開口部５２１Ｂ、一対の開口部５２２Ａ１、凹部５２３Ｂ，５２４Ｂがそれぞれ形成されている。
また、一対の回動部材５２５は、図８に示すように、上述した一対の回動部材５１５を構成するボールベアリング５１５１（外輪部５１５１Ａおよび内輪部５１５１Ｂを含む）、接続部材５１５２、およびＯリング５１５３と同様の、ボールベアリング５２５１（外輪部５２５１Ａおよび内輪部５２５１Ｂを含む）、接続部材５２５２、およびＯリング５２５３を備える。
【００７６】
図９は、プロジェクタ１を天吊りの姿勢状態に設置した場合での中継タンク５´の状態および冷却流体の循環方向を示す断面図である。
以上のような中継タンク５´の構成において、タンク本体５１１´の重心位置は、流通パイプ５１３´，５１４´の軸線上に対してずれた位置に形成されている。
そして、プロジェクタ１を通常の姿勢状態に設置した状態（図８）から天吊りの姿勢状態に設置した場合には、図９に示すように、ボールベアリング５１５１の外輪部５１５１Ａに対して内輪部５１５１Ｂが回転し、接続部材５１５２の内周面がＯリング５１５３の外周面上を摺動してタンク本体５１１´が前記軸線を回転軸として回転する。すなわち、タンク本体５１１´は、その重心位置が常に前記軸線よりも鉛直方向下側に位置するように、固定部材５１２´および一対の流通パイプ５１３´，５１４´に対して回転する。
同様に、タンク本体５２１´の重心位置は、流通パイプ５２３´，５２４´の軸線上に対してずれた位置に形成されている。そして、タンク本体５２１´は、プロジェクタ１を通常の姿勢状態に設置した状態から天吊りの姿勢状態に設置した場合には、図９に示すように、上述したタンク本体５１１´と同様に、その重心位置が常に前記軸線よりも鉛直方向下側に位置するように、固定部材５２２´および一対の流通パイプ５２３´，５２４´に対して回転する。
【００７７】
なお、本実施形態における冷却流体の循環流路は、図８および図９に示すように、前記第１実施形態で説明した冷却流体の循環流路（通常の姿勢状態の場合、および天吊りの姿勢状態の場合）と同様であるため、説明を省略する。
すなわち、本実施形態においても、前記第１実施形態と同様に、プロジェクタ１が通常の姿勢状態の場合には、中継タンク５２´が本発明に係る送出側蓄積部に相当し、中継タンク５１´が本発明に係る送入側蓄積部に相当する。また、流通パイプ５１３´，５２３´が本発明に係る冷却流体流入部に相当し、流通パイプ５１４´，５２４´が本発明に係る冷却流体排出部に相当する。さらに、流通パイプ５１３´，５２３´の開口５１３Ａ，５２３Ａが本発明に係る導出側開口に相当し、流通パイプ５１４´，５２４´の開口５１４Ａ，５２４Ａが本発明に係る導入側開口に相当する。
また、プロジェクタ１が天吊りの姿勢状態の場合には、通常の姿勢状態に対して冷却流体の流路方向が逆転するため、中継タンク５１´が本発明に係る送出側蓄積部に相当し、中継タンク５２´が本発明に係る送入側蓄積部に相当する。また、流通パイプ５１４´，５２４´が本発明に係る冷却流体流入部に相当し、流通パイプ５１３´，５２３´が本発明に係る冷却流体排出部に相当する。さらに、流通パイプ５１４´，５２４´の開口５１４Ａ，５２４Ａが本発明に係る導出側開口に相当し、流通パイプ５１３´，５２３´の開口５１３Ａ，５２３Ａが本発明に係る導入側開口に相当する。
【００７８】
上述した第２実施形態では、前記第１実施形態と略同様の効果の他、以下の効果がある。
ところで、前記第１実施形態で説明したようにタンク本体５１１，５２１が固定部材５１２，５２２に固定されている場合には、気泡蓄積部５１１Ａ，５２１Ａは、タンク本体５１１，５２１内部の鉛直方向上側に常に形成されることとなるため、タンク本体５１１，５２１内部において、プロジェクタ１を通常の姿勢状態に設置した状態と天吊りの姿勢状態に設置した状態とで気泡蓄積部５１１Ａ，５２１Ａの位置が異なることとなる。このため、例えば、プロジェクタ１を通常の姿勢状態に設置した状態から天吊りの姿勢状態に設置した状態に移行すると、気泡蓄積部５１１Ａ，５２１Ａの位置が移動し、気泡蓄積部５１１Ａ，５２１Ａの位置の移動とともに蓄積された気泡等も移動することとなる。このようにプロジェクタ１の姿勢状態を変更した場合には、気泡等の移動の際に該気泡等が冷却流体排出部として機能する流通パイプ５１３，５２３や流通パイプ５１４，５２４に取り込まれてしまう虞がある。
本実施形態では、プロジェクタ１を通常の姿勢状態に設置した状態と天吊りの姿勢状態に設置した状態とを移行させた場合であっても、該移行に連動してタンク本体５１１，５２１が回動部材５１５，５２５を介して流通パイプ５１３，５２３および流通パイプ５１４，５２４に対して回転することで、タンク本体５１１，５２１内部において、気泡蓄積部５１１Ａ，５２１Ａの位置は移動しない。このため、プロジェクタ１を通常の姿勢状態に設置した状態と天吊りの姿勢状態に設置した状態とを移行しても、気泡等が常に同一の気泡蓄積部５１１Ａ，５２１Ａに蓄積された状態となる。したがって、プロジェクタ１を通常の姿勢状態に設置した状態と天吊りの姿勢状態に設置した状態とを移行させた際でも、気泡等が移動することがなく該気泡等が冷却流体排出部として機能する流通パイプ５１３，５２３や流通パイプ５１４，５２４に取り込まれることがない。
【００７９】
[第３実施形態]
次に、本発明の第３実施形態を図面に基づいて説明する。
なお、以下の説明では、既に説明した部分と同一の部分については、同一符号を付してその説明を省略する。
図１０は、第３実施形態における中継タンク５´´の構造を示す断面図である。なお、図１０では、プロジェクタ１を通常の姿勢状態に設置した場合での断面図である。
前記第１実施形態および前記第２実施形態では、圧送駆動制御部６は、プロジェクタ１の姿勢状態に応じて、流体圧送部４４６の通常姿勢時の制御および天吊姿勢時の制御を実施し、冷却流体の流路方向を切り換えている。また、前記第２実施形態では、タンク本体５１１´，５１２´は、回動部材５１５，５２５により、固定部材５１２´，５２２´と一対の流通パイプ５１３´，５１４´および一対の流通パイプ５２３´，５２４´とに対して回転自在に構成されている。
これに対して第３実施形態では、圧送駆動制御部６は、プロジェクタ１の姿勢状態が変更された場合であっても常に流体圧送部４４６の通常姿勢時の制御を実施する。また、図１０に示すように、中継タンク５´´を構成するタンク本体５１１´´および５１２´´は、前記第２実施形態と略同様に、回動部材５１５´´および回動部材５２５´´により、回転自在に構成される。また、一対の流通パイプ５１３´´，５１４´´および一対の流通パイプ５２３´´，５２４´´は、タンク本体５１１´´，５１２´´とともに回転する。圧送駆動制御部６が流体圧送部４４６の通常姿勢時の制御のみを実施する点、および中継タンク５´´以外の構成は、前記第１実施形態と同様のものである。
【００８０】
中継タンク５１´´は、図１０に示すように、前記第２実施形態で説明したタンク本体５１１´（一対の開口部５１１Ｂを含む）、固定部材５１２´（一対の開口部５１２Ａ１を含む）、一対の流通パイプ５１３´，５１４´、および一対の回動部材５１５（ボールベアリング５１５１およびＯリング５１５３を含む）と略同様の、タンク本体５１１´´、固定部材５１２´´、一対の流通パイプ５１３´´，５１４´´、および一対の回動部材５１５´´を備える。
タンク本体５１１´´に形成された一対の開口部５１１Ｂの内周面には、図１０に示すように、一対の流通パイプ５１３´´，５１４´´が貫通し、該流通パイプ５１３´´，５１４´´の外周面が固定されている。
【００８１】
一対の回動部材５１５´´は、固定部材５１２´´と、一対の流通パイプ５１３´´，５１４´´との間に配設され、固定部材５１２´´に対して一対の流通パイプ５１３´´，５１４´´およびタンク本体５１１´´を回動可能とする部材である。この回動部材５１５´´は、図１０に示すように、前記第２実施形態で説明した回動部材５１５と略同様の構成であり、前記第２実施形態で説明したボールベアリング５１５１およびＯリング５１５３の他、接続部材５１５２´´を備える。
接続部材５１５２´´は、流通パイプ５１３´´，５１４´´を内部に挿通可能とする筒状部材で構成され、図１０に示すように、接続部材５１５２´´の外周面が内輪部５１５１Ｂの内周面に固定され、接続部材５１５２´´の内周面が流通パイプ５１３´´，５１４´´のタンク本体５１１´´の外部に突出した端部の外周面に固定されている。すなわち、接続部材５１５２´´は、内輪部５１５１Ｂと流通パイプ５１３´´，５１４´´とを接続している。
また、接続部材５１５２´´は、流通パイプ５１３´´，５１４´´から離間する方向に延出するように形成され、延出部分の内周面にて流体循環部材４４８とＯリング５１５３を介して接続する。
【００８２】
中継タンク５２´´は、図１０に示すように、前記第２実施形態で説明したタンク本体５２１´（一対の開口部５２１Ｂを含む）、固定部材５２２´（一対の開口部５２２Ａ１を含む）、一対の流通パイプ５２３´，５２４´、および一対の回動部材５２５（ボールベアリング５２５１およびＯリング５２５３を含む）と略同様の、タンク本体５２１´´、固定部材５２２´´、一対の流通パイプ５２３´´，５２４´´、および一対の回動部材５２５´´を備える。
また、一対の回動部材５２５´´は、図１０に示すように、上述した一対の回動部材５１５´´と同様の構成であり、前記第２実施形態で説明したボールベアリング５２５１（外輪部５２５１Ａおよび内輪部５２５１Ｂを含む）およびＯリング５２５３の他、上述した一対の回動部材５１５´´を構成する接続部材５１５２´´と同様の接続部材５２５２´´を備える。
【００８３】
図１１は、プロジェクタ１を天吊りの姿勢状態に設置した場合での中継タンク５´´の状態および冷却流体の循環方向を示す断面図である。
以上のような中継タンク５´´の構成において、タンク本体５１１´´の重心位置は、前記第２実施形態と同様に、流通パイプ５１３´´，５１４´´の軸線上に対してずれた位置に形成されている。
そして、プロジェクタ１を通常の姿勢状態に設置した状態（図１０）から天吊りの姿勢状態に設置した場合には、図１１に示すように、ボールベアリング５１５１の外輪部５１５１Ａに対して内輪部５１５１Ｂが回転し、接続部材５１５２´´の内周面がＯリング５１５３の外周面上を摺動して一対の流通パイプ５１３´´，５１４´´、およびこれら流通パイプ５１３´´，５１４´´に固定されたタンク本体５１１´´が前記軸線を回転軸として回転する。すなわち、タンク本体５１１´´、および一対の流通パイプ５１３´´，５１４´´は、タンク本体５１１´´の重心位置が常に前記軸線よりも鉛直方向下側に位置するように、固定部材５１２´´に対して回転する。
同様に、タンク本体５２１´´の重心位置は、流通パイプ５２３´´，５２４´´の軸線上に対してずれた位置に形成されている。そして、タンク本体５２１´´および一対の流通パイプ５２３´´，５２４´´は、プロジェクタ１を通常の姿勢状態に設置した状態から天吊りの姿勢状態に設置した場合には、図１１に示すように、上述したタンク本体５１１´´と同様に、タンク本体５１１´´の重心位置が常に前記軸線よりも鉛直方向下側に位置するように、固定部材５２２´´に対して回転する。
【００８４】
なお、本実施形態における冷却流体の循環流路は、プロジェクタ１が通常の姿勢状態に設置された場合には、図１０に示すように前記第１実施形態と同様であり、プロジェクタ１が天吊りの姿勢状態に設置された場合には、図１１に示すように冷却流体の流路方向を切り換えることなく図１０と同様の流路方向が維持される。
すなわち、本実施形態では、プロジェクタ１の姿勢状態が通常の姿勢状態や天吊りの姿勢状態のいずれの状態であっても、中継タンク５２´´が本発明に係る送出側蓄積部に相当し、中継タンク５１´´が本発明に係る送入側蓄積部に相当する。また、流通パイプ５１３´´，５２３´´が本発明に係る冷却流体流入部に相当し、流通パイプ５１４´´，５２４´´が本発明に係る冷却流体排出部に相当する。さらに、流通パイプ５１３´´，５２３´´の開口５１３Ａ，５２３Ａが本発明に係る導出側開口に相当し、流通パイプ５１４´´，５２４´´の開口５１４Ａ，５２４Ａが本発明に係る導入側開口に相当する。
【００８５】
上述した第３実施形態では、前記第１実施形態および前記第２実施形態と略同様の効果の他、以下の効果がある。
タンク本体５１１´´，５２１´´、流通パイプ５１３´´，５２３´´および流通パイプ５１４´´，５２４´´は、回動部材５１５´´，５２５´´により固定部材５１２´´，５２２´´に対して回転可能に構成されているので、プロジェクタ１を通常の姿勢状態に設置した状態と天吊りの姿勢状態に設置した状態とを移行させた場合であっても、該移行に連動して回転することで、常に、流通パイプ５１３´´，５２３´´（冷却流体流入部）の開口５１３Ａ，５２３Ａ（導出側開口）の鉛直方向上端縁が流通パイプ５１４´´，５２４´´（冷却流体排出部）の開口５１４Ａ，５２４Ａ（導入側開口）の鉛直方向上端縁よりも鉛直方向上側に位置する構成を実現できる。このため、プロジェクタ１を通常の姿勢状態に設置した場合、および天吊りの姿勢状態に設置した場合の双方において、中継タンク５´´内部にて気泡等を良好に捕捉でき、液晶パネル４４１、入射側偏光板４４２、および射出側偏光板４４３にて形成される光学像の画像品質を良好に維持できる。
【００８６】
また、タンク本体５１１´´，５２１´´とともに流通パイプ５１３´´，５２３´´および流通パイプ５１４´´，５２４´´も回転させる構造とすることで、前記第１実施形態および前記第２実施形態のように圧送駆動制御部６に流体圧送部４４６の通常姿勢時の制御および天吊姿勢時の制御を実施させて冷却流体の循環方向を切り替えさせる必要がない。プロジェクタ１の姿勢状態が変更された場合であっても、圧送駆動制御部６に常に流体圧送部４４６の通常姿勢時の制御のみを実施させればよく、圧送駆動制御部６の回路構成を簡素化できるとともに、操作部７に「プロジェクタ１を天吊りの姿勢状態に設置した」旨の入力操作を実施するための入力部を設ける必要がなく、プロジェクタ１の低コスト化が図れる。
【００８７】
[第４実施形態]
次に、本発明の第４実施形態を図面に基づいて説明する。
なお、以下の説明では、既に説明した部分と同一の部分については、同一符号を付してその説明を省略する。
図１２は、第４実施形態における流通パイプ６１３，６１４，６２３，６２４の形状を示す断面図である。なお、図１２では、プロジェクタ１を通常の姿勢状態に設置した場合での断面図である。
本実施形態は、前記第１実施形態に対して、中継タンク５において、図１２に示すように、前記第１実施形態で説明した流通パイプ５１３，５１４，５２３，５２４にそれぞれ対応する流通パイプ６１３，６１４，６２３，６２４の形状が異なるのみである。流通パイプ６１３，６１４，６２３，６２４の形状が異なる点以外は、前記第１実施形態と同様のものである。
【００８８】
流通パイプ６１３は、図１２に示すように、タンク本体５１１内部に突出した先端部分が屈曲することなく、前記第１実施形態で説明した流通パイプ５１４と同様の形状を有している。
一方、流通パイプ６１４は、図１２に示すように、タンク本体５１１内部に突出した先端部分が鉛直方向下側に屈曲している。また、流通パイプ６１４の先端部分の開口６１４Ａは、鉛直方向に略直交するように形成されている。
【００８９】
また、流通パイプ６２３は、図１２に示すように、タンク本体５２１内部に突出した先端部分が屈曲することなく、上述した流通パイプ６１３と同様の形状を有している。
一方、流通パイプ６２４は、図１２に示すように、タンク本体５２１内部に突出した先端部分が鉛直方向下側に屈曲している。また、流通パイプ６２４の先端部分の開口６２４Ａは、鉛直方向に略直交するように形成されている。
【００９０】
なお、本実施形態における冷却流体の循環流路は、前記第１実施形態で説明した冷却流体の循環流路（通常の姿勢状態の場合、および天吊りの姿勢状態の場合）と同様であるため、説明を省略する。
すなわち、プロジェクタ１が通常の姿勢状態の場合には、中継タンク５２が本発明に係る送出側蓄積部に相当し、中継タンク５１が本発明に係る送入側蓄積部に相当する。また、流通パイプ６１３，６２３が本発明に係る冷却流体流入部に相当し、流通パイプ６１４，６２４が本発明に係る冷却流体排出部に相当する。さらに、流通パイプ６１３，６２３の開口６１３Ａ，６２３Ａが本発明に係る導出側開口に相当し、流通パイプ６１４，６２４の開口６１４Ａ，６２４Ａが本発明に係る導入側開口に相当する。
また、プロジェクタ１が天吊りの姿勢状態の場合には、通常の姿勢状態に対して冷却流体の流路方向が逆転するため、中継タンク５１が本発明に係る送出側蓄積部に相当し、中継タンク５２が本発明に係る送入側蓄積部に相当する。また、流通パイプ６１４，６２４が本発明に係る冷却流体流入部に相当し、流通パイプ６１３，６２３が本発明に係る冷却流体排出部に相当する。さらに、流通パイプ６１４，６２４の開口６１４Ａ，６２４Ａが本発明に係る導出側開口に相当し、流通パイプ６１３，６２３の開口６１３Ａ，６２３Ａが本発明に係る導入側開口に相当する。
【００９１】
上述した第４実施形態においては、プロジェクタ１を通常の姿勢状態に設置した際に、流通パイプ６１４，６２４におけるタンク本体５１１，５２１内部に突出した先端部分を鉛直方向下側に屈曲させた場合であっても、流通パイプ６１３，６２３（冷却流体流入部）の開口６１３Ａ，６２３Ａ（導出側開口）の鉛直方向上端縁が流通パイプ６１４，６２４（冷却流体排出部）の開口６１４Ａ，６２４Ａ（導入側開口）の鉛直方向上端縁よりも鉛直方向上側に位置する構成を実現でき、前記第１実施形態と同様の効果を享受できる。
【００９２】
ここで、プロジェクタ１を通常の姿勢状態に設置した場合には、流通パイプ６１４，６２４（冷却流体排出部）の開口６１４Ａ，６２４Ａ（導入側開口）が鉛直方向下側に位置しかつ、鉛直方向に略直交するので、タンク本体５１１，５２１内部の冷却流体は、流通パイプ６１４，６２４に鉛直方向下側から上側に向けて取り込まれる。このため、冷却流体に含まれる気泡等が流通パイプ６１４，６２４（冷却流体排出部）に取り込まれることをより確実に防止できる。
【００９３】
また、プロジェクタ１を天吊りの姿勢状態に設置した場合にも、流通パイプ６１４，６２４（冷却流体流入部）の開口６１４Ａ，６２４Ａ（導出側開口）が鉛直方向上側に位置しかつ、鉛直方向に略直交するので、流通パイプ６１４，６２４を介した冷却流体は、タンク本体５１１，５２１内部において、鉛直方向上側に向けて導入される。このため、冷却流体に含まれる気泡等が流通パイプ６１３，６２３（冷却流体排出部）に取り込まれることをより確実に防止できる。
【００９４】
[第５実施形態]
次に、本発明の第５実施形態を図面に基づいて説明する。
なお、以下の説明では、既に説明した部分と同一の部分については、同一符号を付してその説明を省略する。
図１３は、第５実施形態における流通パイプ７１３，７１４，７２３，７２４の形状を示す断面図である。なお、図１３では、プロジェクタ１を通常の姿勢状態に設置した場合での断面図である。
本実施形態は、前記第１実施形態に対して、中継タンク５において、図１３に示すように、前記第１実施形態で説明した流通パイプ５１３，５１４，５２３，５２４にそれぞれ対応する流通パイプ７１３，７１４，７２３，７２４の形状が異なるのみである。流通パイプ７１３，７１４，７２３，７２４の形状が異なる点以外は、前記第１実施形態と同様のものである。
【００９５】
流通パイプ７１３，７１４は、図１３に示すように、タンク本体５１１内部に突出した先端部分が屈曲することなく、前記第１実施形態で説明した流通パイプ５１４と略同様の形状を有している。そして、本実施形態では、流通パイプ７１３におけるタンク本体５１１内部に突出した先端部分の開口７１３Ａは、図１３に示すように、流通パイプ７１３の外周面における鉛直方向上側に形成されている。また、流通パイプ７１４の先端部分の開口７１４Ａは、図１３に示すように、流通パイプ７１４の外周面における鉛直方向下側に形成されている。
同様に、流通パイプ７２３，７２４は、図１３に示すように、タンク本体５２１内部に突出した先端部分が屈曲することなく、上述した流通パイプ７１３，７１４と同様の形状を有している。そして、本実施形態では、流通パイプ７２３におけるタンク本体５２１内部に突出した先端部分の開口７２３Ａは、図１３に示すように、流通パイプ７２３の外周面における鉛直方向上側に形成されている。また、流通パイプ７２４の先端部分の開口７２４Ａは、図１３に示すように、流通パイプ７２４の外周面における鉛直方向下側に形成されている。
【００９６】
なお、本実施形態における冷却流体の循環流路は、前記第１実施形態で説明した冷却流体の循環流路（通常の姿勢状態の場合、および天吊りの姿勢状態の場合）と同様であるため、説明を省略する。
すなわち、プロジェクタ１が通常の姿勢状態の場合には、中継タンク５２が本発明に係る送出側蓄積部に相当し、中継タンク５１が本発明に係る送入側蓄積部に相当する。また、流通パイプ７１３，７２３が本発明に係る冷却流体流入部に相当し、流通パイプ７１４，７２４が本発明に係る冷却流体排出部に相当する。さらに、流通パイプ７１３，７２３の開口７１３Ａ，７２３Ａが本発明に係る導出側開口に相当し、流通パイプ７１４，７２４の開口７１４Ａ，７２４Ａが本発明に係る導入側開口に相当する。
また、プロジェクタ１が天吊りの姿勢状態の場合には、通常の姿勢状態に対して冷却流体の流路方向が逆転するため、中継タンク５１が本発明に係る送出側蓄積部に相当し、中継タンク５２が本発明に係る送入側蓄積部に相当する。また、流通パイプ７１４，７２４が本発明に係る冷却流体流入部に相当し、流通パイプ７１３，７２３が本発明に係る冷却流体排出部に相当する。さらに、流通パイプ７１４，７２４の開口７１４Ａ，７２４Ａが本発明に係る導出側開口に相当し、流通パイプ７１３，７２３の開口７１３Ａ，７２３Ａが本発明に係る導入側開口に相当する。
【００９７】
上述した第５実施形態においては、流通パイプ７１３，７１４，７２３，７２４を屈曲させず、プロジェクタ１を通常の姿勢状態に設置した際に、流通パイプ７１３，７２３におけるタンク本体５１１，５２１内部に突出した先端部分の鉛直方向上側に開口７１３Ａ，７２３Ａを形成し、流通パイプ７１４，７２４におけるタンク本体５１１，５２１内部に突出した先端部分の鉛直方向下側に開口７１４Ａ，７２４Ａを形成した場合であっても、流通パイプ７１３，７２３（冷却流体流入部）の開口７１３Ａ，７２３Ａ（導出側開口）の鉛直方向上端縁が流通パイプ７１４，７２４（冷却流体排出部）の開口７１４Ａ，７２４Ａ（導入側開口）の鉛直方向上端縁よりも鉛直方向上側に位置する構成を実現でき、前記第１実施形態と同様の効果を享受できる。
【００９８】
また、開口７１３Ａ，７１４Ａ，７２３Ａ，７２４Ａを上述したように形成することで、流通パイプ７１３，７１４，７２３，７２４を屈曲させる必要がなく、中継タンク５をより簡単に製造できる。
さらに、開口７１３Ａ，７１４Ａ，７２３Ａ，７２４Ａが鉛直方向に略直交するので、前記第４実施形態と同様に、冷却流体排出部として機能する流通パイプ７１３，７２３や、流通パイプ７１４，７２４に取り込まれることをより確実に防止できる。
【００９９】
[第６実施形態]
次に、本発明の第６実施形態を図面に基づいて説明する。
なお、以下の説明では、既に説明した部分と同一の部分については、同一符号を付してその説明を省略する。
図１４は、第６実施形態における流通パイプ８１３，８２３の形状を示す断面図である。なお、図１４では、プロジェクタ１を通常の姿勢状態に設置した場合での断面図である。
前記第１実施形態では、圧送駆動制御部６が流体圧送部４４６の通常姿勢時の制御および天吊姿勢制時の制御を実施し、プロジェクタ１の姿勢状態に応じて、冷却流体の流路方向を切り換えている。
これに対して第６実施形態では、圧送駆動制御部６は、プロジェクタ１の姿勢状態が変更された場合であっても常に流体圧送部４４６の通常姿勢時の制御を実施する。また、前記第１実施形態に対して、中継タンク５において、図１４に示すように、前記第１実施形態で説明した流通パイプ５１３，５２３にそれぞれ対応する流通パイプ８１３，８２３の形状が異なる。圧送駆動制御部６が流体圧送部４４６の通常姿勢時の制御のみを実施する点、および流通パイプ８１３，８２３の形状が異なる点以外の構成は、前記第１実施形態と同様のものである。
【０１００】
流通パイプ８１３は、図１４に示すように、タンク本体５１１内部に突出した先端部分が鉛直方向上側および鉛直方向下側にそれぞれ分岐し、断面視略Ｔ字形状を有している。
この流通パイプ８１３において、内部の分岐位置には、図１４に示すように、プロジェクタ１の姿勢状態に応じて、開口８１３Ａ１と開口８１３Ｂとを結ぶ第１の流路と、開口８１３Ａ２と開口８１３Ｂとを結ぶ第２の流路とを切り替える切替弁８１３Ｃが設けられている。
切替弁８１３Ｃは、図１４に示すように、回転軸８１３Ｃ１と、弁本体８１３Ｃ２と、錘８１３Ｃ３とを備える。
回転軸８１３Ｃ１は、流通パイプ８１３において、流通パイプ８１３，５１４が配設される軸線と交差する内壁に配設され、流通パイプ８１３のＴ字断面と略直交する方向に延出する。そして、この回転軸８１３Ｃ１は、弁本体８１３Ｃ２を回動自在に軸支する。
弁本体８１３Ｃ２は、流通パイプ８１３内部の開口の幅寸法よりも若干小さい幅寸法を有する板状部材から構成され、一端が回転軸８１３Ｃ１に軸支され、回転軸８１３Ｃ１を中心として回転する。
錘８１３Ｃ３は、弁本体８１３Ｃ２の回転軸８１３Ｃ１に取り付けられる一端と反対側の他端側に固定される。
【０１０１】
流通パイプ８２３は、図１４に示すように、上述した流通パイプ８１３と同様に、タンク本体５２１内部に突出した先端部分が鉛直方向上側および鉛直方向下側にそれぞれ分岐し、断面視略Ｔ字形状を有している。
この流通パイプ８２３において、内部の分岐位置には、図１４に示すように、上述した流通パイプ８１３と同様に、プロジェクタ１の姿勢状態に応じて、開口８２３Ａ１と開口８２３Ｂとを結ぶ第１の流路と、開口８２３Ａ２と開口８２３Ｂとを結ぶ第２の流路とを切り替える切替弁８２３Ｃが設けられている。
切替弁８２３Ｃは、図１４に示すように、上述した切替弁８１３Ｃを構成する回転軸８１３Ｃ１、弁本体８１３Ｃ２、および錘８１３Ｃ３と同様の、回転軸８２３Ｃ１、弁本体８２３Ｃ２、および錘８２３Ｃ３を備える。
【０１０２】
図１５は、プロジェクタ１を天吊りの姿勢状態に設置した場合での中継タンク５の状態および冷却流体の循環方向を示す断面図である。
プロジェクタ１を通常の姿勢状態に設置した場合には、錘８１３Ｃ３の自重により弁本体８１３Ｃ２が回転軸８１３Ｃ１を中心として回転し、図１４に示す状態となる。そして、弁本体８１３Ｃ２は、開口８１３Ａ２と開口８１３Ｂとを結ぶ第２の流路を閉塞し、開口８１３Ａ１と開口８１３Ｂとを結ぶ第１の流路を形成する。そして、冷却流体は、圧送駆動制御部６による流体圧送部４４６の通常姿勢時の制御により、流通パイプ８１３に形成された前記第１の流路を流通してタンク本体５１１内部に導入される。
同様に、プロジェクタ１を通常の姿勢状態に設置した場合には、図１４に示すように、弁本体８２３Ｃ２は、開口８２３Ａ２と開口８２３Ｂとを結ぶ第２の流路を閉塞し、開口８２３Ａ１と開口８２３Ｂとを結ぶ第１の流路を形成する。そして、冷却流体は、圧送駆動制御部６による流体圧送部４４６の通常姿勢時の制御により、流通パイプ８２３に形成された前記第１の流路を流通してタンク本体５２１内部に導入される。
【０１０３】
一方、プロジェクタ１を天吊りの姿勢状態に設置した場合には、錘８１３Ｃ３の自重により弁本体８１３Ｃ２が回転軸８１３Ｃ１を中心として回転し、図１５に示す状態となる。そして、弁本体８１３Ｃ２は、開口８１３Ａ１と開口８１３Ｂとを結ぶ第１の流路を閉塞し、開口８１３Ａ２と開口８１３Ｂとを結ぶ第２の流路を形成する。そして、冷却流体は、圧送駆動制御部６による流体圧送部４４６の通常姿勢時の制御により、流通パイプ８１３に形成された前記第２の流路を流通してタンク本体５１１内部に導入される。
同様に、プロジェクタ１を通常の姿勢状態に設置した場合には、図１５に示すように、弁本体８２３Ｃ２は、開口８２３Ａ１と開口８２３Ｂとを結ぶ第１の流路を閉塞し、開口８２３Ａ２と開口８２３Ｂとを結ぶ第２の流路を形成する。そして、冷却流体は、圧送駆動制御部６による流体圧送部４４６の通常姿勢時の制御により、流通パイプ８２３に形成された前記第２の流路を流通してタンク本体５２１内部に導入される。
【０１０４】
すなわち、本実施形態では、プロジェクタ１の姿勢状態が通常の姿勢状態や天吊りの姿勢状態の何れの状態であっても、中継タンク５２が本発明に係る送出側蓄積部に相当し、中継タンク５１が本発明に係る送入側蓄積部に相当する。また、流通パイプ８１３，８２３が本発明に係る冷却流体流入部に相当し、流通パイプ５１４，５２４が本発明に係る冷却流体排出部に相当する。さらに、流通パイプ８１３，８２３の開口８１３Ａ１，８１３Ａ２，８２３Ａ１，８２３Ａ２が本発明に係る導出側開口に相当し、流通パイプ５１４，５２４の開口５１４Ａ，５２４Ａが本発明に係る導入側開口に相当する。
【０１０５】
上述した第６実施形態においては、流通パイプ８１３，８２３のタンク本体５１１，５２１内部に突出した先端部分が鉛直方向上側および鉛直方向下側にそれぞれ分岐し、断面視略Ｔ字形状を有しているので、プロジェクタ１を通常の姿勢状態に設置した場合、天吊りの姿勢状態に設置した場合の双方において、流通パイプ８１３，８２３（冷却流体流入部）の開口８１３Ａ１，８１３Ａ２，８２３Ａ１，８２３Ａ２（導出側開口）の鉛直方向上端縁が流通パイプ５１４，５２４（冷却流体排出部）の開口５１４Ａ，５２４Ａ（導入側開口）の鉛直方向上端縁よりも鉛直方向上側に位置する構成を実現できる。すなわち、プロジェクタ１を通常の姿勢状態に設置した場合には流通パイプ８１３，８２３の各２つの流路のうち第１の流路で冷却流体を流通させ、プロジェクタ１を天吊りの姿勢状態に設置した場合に流通パイプ８１３，８２３の各２つの流路のうち第２の流路で冷却流体を流通させることで、プロジェクタ１を通常の姿勢状態した場合、および天吊りの姿勢状態に設置した場合の双方において、中継タンク５内部にて気泡等を良好に捕捉でき、液晶パネル４４１、入射側偏光板４４２、および射出側偏光板４４３にて形成される光学像の画像品質を良好に維持できる。
また、流通パイプ８１３，８２３のタンク本体５１１，５２１内部に突出した先端部分を上述したように形成することで、前記第３実施形態と同様に、プロジェクタ１の姿勢状態が変更された場合であっても、圧送駆動制御部６に常に流体圧送部４４６の通常姿勢時の制御のみを実施させればよく、圧送駆動制御部６の回路構成を簡素化できるとともに、操作部７に「プロジェクタ１を天吊りの姿勢状態に設置した」旨の入力操作を実施するための入力部を設ける必要がなく、プロジェクタ１の低コスト化が図れる。
【０１０６】
ここで、流通パイプ８１３，８２３の内部の分岐位置には、切替弁８１３Ｃ，８２３Ｃが設けられているので、プロジェクタ１を通常の姿勢状態に設置した場合には流通パイプ８１３，８２３の各２つの流路のうち第１の流路で冷却流体を流通させ、プロジェクタ１を天吊りの姿勢状態に設置した場合には流通パイプ８１３，８２３の各２つの流路のうち第２の流路で冷却流体を流通させる構成を確実に実現できる。
また、切替弁８１３Ｃ，８２３Ｃは、回転軸８１３Ｃ１，８２３Ｃ１と、弁本体８１３Ｃ２，８２３Ｃ２と、錘８１３Ｃ３，８２３Ｃ３とで構成されているので、例えば駆動制御されることで自動で流路を切り替える構成と比較して、切替弁８１３Ｃ，８２３Ｃの構成および制御構造を簡素化できる。
【０１０７】
[第７実施形態]
次に、本発明の第７実施形態を図面に基づいて説明する。
なお、以下の説明では、既に説明した部分と同一の部分については、同一符号を付してその説明を省略する。
図１６は、第７実施形態における流通パイプ９１３，９２３の形状および配設位置を示す断面図である。なお、図１６では、プロジェクタ１を通常の姿勢状態に設置した場合での断面図である。
本実施形態は、前記第１実施形態に対して、中継タンク５において、図１６に示すように、前記第１実施形態で説明した流通パイプ５１３，５１４，５２３，５２４にそれぞれ対応する流通パイプ９１３，９１４，９２３，９２４の形状および配設位置が異なるのみである。流通パイプ９１３，９１４，９２３，９２４の形状および配設位置が異なる点以外は、前記第１実施形態と同様のものである。
【０１０８】
流通パイプ９１３，９１４は、図１６に示すように、タンク本体５１１内部に突出した先端部分が屈曲することなく、前記第１実施形態で説明した流通パイプ５１４と同様の形状を有している。そして、本実施形態では、一対の流通パイプ９１３，９１４は、図１６に示すように、各筒状軸が異なる軸線上に配設されている。具体的には、図１６に示すように、プロジェクタ１が通常の姿勢状態に設置された状態で、流通パイプ９１３が流通パイプ９１４に対して鉛直方向上側に位置するように配設されている。
同様に、流通パイプ９２３，９２４は、図１６に示すように、タンク本体５２１内部に突出した先端部分が屈曲することなく、上述した流通パイプ９１３，９１４と同様の形状を有している。そして、本実施形態では、一対の流通パイプ９２３，９２４は、図１６に示すように、プロジェクタ１が通常の姿勢状態に設置された状態で、流通パイプ９２３が流通パイプ９２４に対して鉛直方向上側に位置するように配設されている。
【０１０９】
なお、本実施形態における冷却流体の循環流路は、前記第１実施形態で説明した冷却流体の循環流路（通常の姿勢状態の場合、および天吊りの姿勢状態の場合）と同様であるため、説明を省略する。
すなわち、プロジェクタ１が通常の姿勢状態の場合には、中継タンク５２が本発明に係る送出側蓄積部に相当し、中継タンク５１が本発明に係る送入側蓄積部に相当する。また、流通パイプ９１３，９２３が本発明に係る冷却流体流入部に相当し、流通パイプ９１４，９２４が本発明に係る冷却流体排出部に相当する。さらに、流通パイプ９１３，９２３の開口９１３Ａ，９２３Ａが本発明に係る導出側開口に相当し、流通パイプ９１４，９２４の開口９１４Ａ，９２４Ａが本発明に係る導入側開口に相当する。
また、プロジェクタ１が天吊りの姿勢状態の場合には、通常の姿勢状態に対して冷却流体の流路方向が逆転するため、中継タンク５１が本発明に係る送出側蓄積部に相当し、中継タンク５２が本発明に係る送入側蓄積部に相当する。また、流通パイプ９１４，９２４が本発明に係る冷却流体流入部に相当し、流通パイプ９１３，９２３が本発明に係る冷却流体排出部に相当する。さらに、流通パイプ９１４，９２４の開口９１４Ａ，９２４Ａが本発明に係る導出側開口に相当し、流通パイプ９１３，９２３の開口９１３Ａ，９２３Ａが本発明に係る導入側開口に相当する。
【０１１０】
上述した第７実施形態においては、一対の流通パイプ９１３，９１４および一対の流通パイプ９２３，９２４を屈曲させず、各筒状軸を異なる軸線上に配設した場合であっても、プロジェクタ１を通常の姿勢状態に設置した際に、流通パイプ９１３，９２３（冷却流体流入部）の開口９１３Ａ，９２３Ａ（導出側開口）の鉛直方向上端縁が流通パイプ９１４，９２４（冷却流体排出部）の開口９１４Ａ，９２４Ａ（導入側開口）の鉛直方向上端縁よりも鉛直方向上側に位置する構成を実現でき、前記第１実施形態と同様の効果を享受できる。
【０１１１】
また、一対の流通パイプ９１３，９１４，９２３，９２４を上述した配設位置に形成することで、流通パイプ９１３，９１４，９２３，９２４を屈曲させる必要がなく、中継タンク５をより簡単に製造できる。
【０１１２】
なお、本発明は前述の実施形態に限定されるものではなく、本発明の目的を達成できる範囲での変形、改良等は本発明に含まれるものである。
前記各実施形態において、冷却流体流入部および冷却流体排出部は、タンク本体５１１，５１１´，５１１´´，５２１，５２１´，５２１´´における鉛直方向に直交する水平軸と交差する端面に設けられ、冷却流体流入部における導出側開口の鉛直方向上端縁が冷却流体排出部における冷却流体の導入側開口の鉛直方向上端縁よりも鉛直方向上側に位置するように配置されていればよく、その他の形状や配設位置を採用してもよい。
図１７および図１８は、変形例を示す図である。
例えば、前記第４実施形態では、流通パイプ６１４，６２４におけるタンク本体５１１内部に突出した先端部分が鉛直方向下側に９０°に満たない角度を有して屈曲していたが、これに限らず、図１７に示す流通パイプ１０１４，１０２４のように、鉛直方向下側に略１８０°屈曲させた構成を採用してもよい。
なお、上述した図１７の変形例は、前記第４実施形態の変形例として説明したが、これに限らない。例えば、前記第７実施形態の流通パイプ９１４，９２４を流通パイプ１０１４，１０２４に変更した構成を採用してもよい。また、例えば、前記第１実施形態ないし前記第３実施形態、および前記第７実施形態において、流通パイプ５１３，５２３，５１３´，５２３´，５１３´´，５２３´´，１０１３，１０２３を、上述した流通パイプ１０１４，１０２４と略同様に、先端部分が鉛直方向上側に略１８０°屈曲させた構成を採用してもよい。
【０１１３】
また、例えば、図１８に示すような流通パイプ１１１３，１１１４，１１２３，１１２４を採用してもよい。なお、図１８では、プロジェクタ１を通常の姿勢状態に設置した場合での断面図である。
具体的に、流通パイプ１１１３，１１１４は、図１８に示すように、各筒状軸が同軸上となるようにタンク本体５１１，５２１および固定部材５１２，５２２に配設されている。なお、流通パイプ１１２３，１１２４も同様である。
そして、流通パイプ１１１３，１１１４は、図１８に示すように、流通パイプ１１１３の管径寸法が流通パイプ１１１４の管径寸法よりも大きくなるように形成されている。なお、流通パイプ１１２３，１１２４も同様である。
【０１１４】
前記第１実施形態ないし前記第４実施形態では、流通パイプ５１３，５２３、５１３´，５２３´，５１３´´，５２３´´，６１４，６２４のみが屈曲していたが、これに限らず、流通パイプ５１４，５２４，５１４´，５２４´，５１４´´，５２４´´，６１３，６２３を逆方向に屈曲させ、一対の流通パイプの双方を屈曲させた構成を採用してもよい。
また、前記第７実施形態では、流通パイプ９１３，９１４，９２３，９２４が屈曲していない形状であったが、これに限らず、一対の流通パイプのうち少なくともいずれかを屈曲させた形状を採用してもよい。
【０１１５】
前記第６実施形態では、切替弁８１３Ｃ，８２３Ｃとして、錘８１３Ｃ３，８２３Ｃ３を用いた構成を採用したが、これに限らず、図示しない制御装置により駆動制御されることで自動で流路を切り替える構成を採用してもよい。
前記第６実施形態では、流通パイプ８１３，８２３は、タンク本体５１１，５２１内部に突出した先端部分が２つに分岐された形状を説明したが、これに限らず、複数（３つ以上）に分岐された形状を採用しても構わない。
前記第１実施形態、前記第２実施形態、前記第４実施形態、前記第５実施形態、および前記第７実施形態では、圧送駆動制御部６は、操作部７から出力される操作信号に応じて、プロジェクタ１の姿勢状態を認識していたが、これに限らない。例えば、プロジェクタ１内部に加速度センサやジャイロセンサ等の姿勢検出センサを設け、該姿勢検出センサにて検出されたプロジェクタ１の姿勢状態に応じた信号に応じて、圧送駆動制御部６がプロジェクタ１の姿勢状態を認識する構成を採用してもよい。
【０１１６】
前記第７実施形態では、一対の流通パイプ９１３，９１４および一対の流通パイプ９２３，９２４は、タンク本体５１１，５２１および固定部材５１２，５２２における鉛直方向に略直交する水平軸と交差する端面に配設されていたが、これに限らず、一対の流通パイプの各筒状軸が異なる軸線上となれば、いずれの位置に配設しても構わない。
前記第７実施形態および図１８に示す変形例では、流通パイプ９１３，９１４，９２３，９２４，１１１３，１１１４，１１２３，１１２４がタンク本体５１１，５２１内部に突出した形状を有していたが、これに限らず、一対の流通パイプのうち少なくともいずれかの流通パイプがタンク本体５１１，５２１内部に突出していない形状を採用してもよい。
前記第２実施形態および前記第３実施形態において、回動部材５１５，５２５，５１５´´，５２５´´の構成は前記第２実施形態および前記第３実施形態で説明した構成に限らず、その他の構成を採用してもよい。
【０１１７】
前記第１実施形態、前記第４実施形態、前記第５実施形態、および前記第７実施形態では、圧送駆動制御部６は、プロジェクタ１の姿勢状態に応じて、流体圧送部４４６の通常姿勢時の制御および天吊姿勢時の制御を実施する構成であったがこれに限らない。例えば、プロジェクタ１を通常の姿勢状態に設置する以外に用いない構成とした場合には、圧送駆動制御部６に流体圧送部４４６の通常姿勢時の制御のみを実施させる構成とする。また、例えば、プロジェクタ１を天吊りの姿勢状態に設置する以外に用いない構成とした場合には、圧送駆動制御部６に流体圧送部４４６の天吊姿勢時の制御のみを実施させる構成とする。さらに、プロジェクタ１を通常の姿勢状態、または、天吊りの姿勢状態のどちらか一方の設置で使用される構成とした場合には、冷却流体蓄積部も送入側蓄積部を使わずに送出側蓄積部だけを配置する構成も可能である。
【０１１８】
前記各実施形態において、光変調素子保持体４４０２の構成は、前記各実施形態で説明した構成に限らない。すなわち、光変調素子保持体は、内部に冷却流体が封入される冷却室が形成され、光変調素子としての液晶パネル４４１を冷却流体に熱伝達可能に保持する構成であれば、いずれの構成を採用してもよい。例えば、前記各実施形態では、光変調素子保持体４４０２は、２つの冷却室Ｒ１，Ｒ２を有していたが、１つのみの冷却室を有する構成としても構わない。
【０１１９】
前記各実施形態において、冷却流体蓄積部としての中継タンク５，５´，５´´は、クロスダイクロイックプリズム４４４の上下面に配設されていたが、これに限らず、その他の位置に配設しても構わない。例えば、メインタンク４４５を本発明に係る冷却流体蓄積部として構成してもよい。
前記各実施形態では、光学装置４４において、メインタンク４４５およびラジエータ４４７を備えた構成を説明したが、これに限らず、これらメインタンク４４５およびラジエータ４４７のうち少なくともいずれかを省略した構成を採用してもよい。
前記各実施形態では、光学ユニット４が平面視略Ｌ字形状を有した構成を説明したが、これに限らず、例えば、平面視略Ｕ字形状を有した構成を採用してもよい。
【０１２０】
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【０１２１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【０１２２】
本発明の光学装置は、光変調素子を効率的に冷却できかつ、画像品質を良好に維持できるため、プレゼンテーションやホームシアターに用いられるプロジェクタの光学装置として有用である。
【図面の簡単な説明】
【０１２３】
【図１】第１実施形態におけるプロジェクタの概略構成を模式的に示す図。
【図２】前記実施形態における光学装置本体の概略構成を示す斜視図。
【図３】前記実施形態における流体圧送部の構造、および圧送駆動制御部の制御構造を模式的に示す図。
【図４】前記実施形態における光変調素子保持体の概略構成を示す分解斜視図。
【図５】前記実施形態における光変調素子保持体の断面図。
【図６】前記実施形態における中継タンクの構造を示す断面図。
【図７】前記実施形態におけるプロジェクタを天吊りの姿勢状態に設置した場合での冷却流体の循環方向を示す断面図。
【図８】第２実施形態における中継タンクの構造を示す断面図。
【図９】前記実施形態におけるプロジェクタを天吊りの姿勢状態に設置した場合での中継タンクの状態および冷却流体の循環方向を示す断面図。
【図１０】第３実施形態における中継タンクの構造を示す断面図。
【図１１】前記実施形態におけるプロジェクタを天吊りの姿勢状態に設置した場合での中継タンクの状態および冷却流体の循環方向を示す断面図。
【図１２】第４実施形態における流通パイプの形状を示す断面図。
【図１３】第５実施形態における流通パイプの形状を示す断面図。
【図１４】第６実施形態における流通パイプの形状を示す断面図。
【図１５】前記実施形態におけるプロジェクタを天吊りの姿勢状態に設置した場合での中継タンクの状態および冷却流体の循環方向を示す断面図。
【図１６】第７実施形態における流通パイプの形状および配設位置を示す断面図。
【図１７】前記各実施形態の変形例を示す図。
【図１８】前記各実施形態の変形例を示す図。
【符号の説明】
【０１２４】
１・・・プロジェクタ、５，５´，５´´・・・中継タンク（冷却流体蓄積部）、６・・・圧送駆動制御部、４４・・・光学装置、５１，５１´，５２，５２´・・・中継タンク（送入側蓄積部、送出側蓄積部）、５１´´・・・中継タンク（送入側蓄積部）、５２´´・・・中継タンク（送出側蓄積部）、４１１・・・光源装置、４４１・・・液晶パネル（光変調素子）、４４４・・・クロスダイクロイックプリズム（色合成光学装置）、４４６・・・流体圧送部、４４８・・・流体循環部材、５１１Ａ，５２１Ａ・・・気泡蓄積部、５１３，５１３´，５１４，５１４´，５２３，５２３´，５２４，５２４´，６１３，６１４，６２３，６２４，７１３，７１４，７２３，７２４，９１３，９１４，９２３，９２４・・・流通パイプ（冷却流体流入部、冷却流体排出部）、５１３Ａ，５１４Ａ，５２３Ａ，５２４Ａ，６１３Ａ，６１４Ａ，６２３Ａ，６２４Ａ，７１３Ａ，７１４Ａ，７２３Ａ，７２４Ａ，９１３Ａ，９１４Ａ，９２３Ａ，９２４Ａ・・・開口（導出側開口、導入側開口）、５１３´´，５２３´´，８１３，８２３・・・流通パイプ（冷却流体流入部）、５１４´´，５２４´´・・・流通パイプ（冷却流体排出部）、８１３Ａ１，８１３Ａ２，８２３Ａ１，８２３Ａ２・・・開口（導出側開口）、８１３Ｃ，８２３Ｃ・・・切替弁、４４０２・・・光変調素子保持体、Ｌ・・・投射レンズ、Ｒ１，Ｒ２・・・冷却室。
【図１】
2006330641.tif 000003
【図２】
2006330641.tif 000004
【図３】
2006330641.tif 000005
【図４】
2006330641.tif 000006
【図５】
2006330641.tif 000007
【図６】
2006330641.tif 000008
【図７】
2006330641.tif 000009
【図８】
2006330641.tif 000010
【図９】
2006330641.tif 000011
【図１０】
2006330641.tif 000012
【図１１】
2006330641.tif 000013
【図１２】
2006330641.tif 000014
【図１３】
2006330641.tif 000015
【図１４】
2006330641.tif 000016
【図１５】
2006330641.tif 000017
【図１６】
2006330641.tif 000018
【図１７】
2006330641.tif 000019
【図１８】
2006330641.tif 000020